(57)【要約】      （修正有）【課題】マス終端とすることができ、高速電気特性を有する遮蔽電気ケーブルを提供する。【解決手段】遮蔽電気ケーブル２には、ケーブル２の長さＬに沿って延在し、ケーブル２の幅ｗに沿って互いに間隔を置いて配置されている、複数の導体セット４が含まれる。第１及び第２の遮蔽フィルム８は、ケーブル２の対向する側に配置され、カバー部分７及び挟まれた部分９を含み、これらは横断面において、フィルム８のカバー部分７が一緒にそれぞれの導体セット４を実質的に包囲する。接着層１０は、ケーブル２の挟まれた部分９で遮蔽フィルム８を合わせて結合する。内側半径が最大２ｍｍで１８０°以下の、ケーブル位置１か所でのケーブル横断曲げにより、そのケーブル位置近くでの選択された絶縁導体のケーブルインピーダンスにもたらされる、曲げていない形状のときにそのケーブル位置で測定した初期ケーブルインピーダンスからの変化は、２パーセント以下である。【選択図】図１
2018200882.tif 000002
【特許請求の範囲】
【請求項１】
遮蔽電気ケーブルであって、前記遮蔽電気ケーブルが、
前記ケーブルの長さに沿って延在し、前記ケーブルの幅に沿って互いに間隔を置いて配置されている複数の導体セットであって、各前記導体セットに１つ以上の絶縁導体が含まれている、複数の伝導セットと、
前記ケーブルの対向する側に配置されている第１及び第２遮蔽フィルムであって、前記第１及び第２フィルムには、カバー部分及び挟まれた部分が含まれ、これらは横断面において、前記第１及び第２フィルムのカバー部分が一緒に各前記導体セットを実質的に包囲し、かつ、前記第１及び第２フィルムの挟まれた部分が一緒に各前記導体セットのそれぞれの側でケーブルの挟まれた部分を形成するように配置されている、第１及び第２遮蔽フィルムと、
前記ケーブルの前記挟まれた部分で、前記第１遮蔽フィルムを前記第２遮蔽フィルムに結合する第１接着層と、を含み、
前記複数の導体セットは、隣り合う前記第１及び第２の絶縁導体を含み、かつ前記第１及び第２遮蔽フィルムの対応する第１カバー部分と、前記第１及び第２遮蔽フィルムの対応する第１挟まれた部分とを有し、これらが第１導体セットの一方の側に第１挟まれたケーブル部分を形成する、前記第１の導体セットを含み、
前記絶縁導体のうち選択された１本が、２４ＡＷＧ（アメリカンワイヤーゲージ）以下の直径のワイヤーを有し、
内側半径が最大２ｍｍで１８０°以下の、ケーブル位置１か所でのケーブル横断曲げにより、前記ケーブル位置近くでの選択された前記絶縁導体のケーブルインピーダンスが、曲げていない形状のときに前記ケーブル位置で測定した初期ケーブルインピーダンスからの変化を２パーセント以下に抑える、遮蔽電気ケーブル。
【請求項２】
前記選択された絶縁導体の前記ワイヤー直径が、２６ＡＷＧ以下であり、内側半径が最大１ｍｍで１８０°以下の、ケーブル位置１か所でのケーブル横断曲げにより、前記ケーブル位置近くでの前記選択された絶縁導体のケーブルインピーダンスにもたらされる、初期ケーブルインピーダンスからの変化が、１パーセント以下である、請求項１に記載のケーブル。
【請求項３】
前記選択された絶縁導体が、前記導体セットのうち選択された１つの一部であり、前記導体セットには、直径が２４ＡＷＧ以下で公称差動インピーダンスが１００オームであるワイヤーをそれぞれ有する少なくとも２本の絶縁導体が含まれ、前記ケーブルの横断曲げにより、前記ケーブル位置近くでの選択された導体セットの差動ケーブルインピーダンスが、曲げていない形状のときに前記ケーブル位置で測定した初期差動ケーブルインピーダンスからの変化を２オーム以下に抑える、請求項１に記載のケーブル。
【請求項４】
前記ケーブルが更に、前記ケーブルの幅を横切って延在する折り目に沿って少なくとも４５°の曲げを含み、前記曲げの内側半径は最大５ｍｍである、請求項１〜３のいずれか一項に記載のケーブル。
【請求項５】
遮蔽電気ケーブルであって、前記遮蔽電気ケーブルが、
前記ケーブルの長さに沿って延在し、前記ケーブルの幅に沿って互いに間隔を置いて配置されている複数の導体セットであって、各導体セットに１つ以上の絶縁導体が含まれている、複数の伝導セットと、
前記ケーブルの対向する側に配置されている第１及び第２遮蔽フィルムであって、前記第１及び第２フィルムには、カバー部分及び挟まれた部分が含まれ、これらは横断面において、前記第１及び第２フィルムのカバー部分が一緒に各前記導体セットを実質的に包囲し、前記第１及び第２フィルムの挟まれた部分が一緒に各前記導体セットのそれぞれの側でケーブルの挟まれた部分を形成するように配置されている、第１及び第２遮蔽フィルムと、
前記ケーブルの挟まれた部分で、第１遮蔽フィルムを第２遮蔽フィルムに結合する第１接着層と、を含み
前記複数の導体セットは、隣り合う前記第１及び第２の絶縁導体を含み、かつ前記第１及び第２遮蔽フィルムの対応する第１カバー部分と、前記第１及び第２遮蔽フィルムの対応する第１挟まれた部分とを有し、これらが第１導体セットの一方の側に第１挟まれたケーブル部分を形成する、前記第１の導体セットを含み、
前記絶縁導体のうち選択された１本が、２４ＡＷＧ（アメリカンワイヤーゲージ）以下の直径のワイヤーを有し、
内側半径が最大５ｍｍで１８０°以下の、ケーブル位置１か所でのケーブル横断曲げにより、前記ケーブル位置近くでの前記選択された絶縁導体の挿入損失が、曲げていない形状のときに前記ケーブル位置で測定した初期挿入損失からの変化を、０．５ｄＢ以下で抑える、遮蔽電気ケーブル。
【請求項６】
前記ケーブルが更に、前記ケーブルの幅を横切って延在する折り目の周りで少なくとも４５°の曲げを含み、前記曲げの内側半径が最大５ｍｍである、請求項５に記載のケーブル。
【請求項７】
ケーブルアセンブリであって、
前記ケーブルの長さに沿って延在し、前記ケーブルの幅に沿って互いに間隔を置いて配置されている複数の導体セットであって、各前記導体セットに１つ以上の絶縁導体が含まれている、複数の伝導セットと、
前記ケーブルの対向する側に配置されている第１及び第２遮蔽フィルムであって、前記第１及び第２フィルムには、カバー部分及び挟まれた部分が含まれ、これらは横断面において、前記第１及び第２フィルムのカバー部分が組み合わせて各前記導体セットを実質的に包囲し、かつ、前記第１及び第２フィルムの挟まれた部分が一緒に各前記導体セットのそれぞれの側で前記ケーブルの前記挟まれた部分を形成するように配置されている、第１及び第２遮蔽フィルムと、
前記ケーブルの前記挟まれた部分で、前記第１遮蔽フィルムを前記第２遮蔽フィルムに結合する第１接着層と、
前記ケーブルの幅を横切って延在する折り目の周りで内側半径が最大で５ｍｍの、少なくとも４５°のケーブルの曲げと、を含む遮蔽電気ケーブルであって、
前記複数の導体セットが、隣接する第１及び第２絶縁導体を含み、前記第１及び第２遮蔽フィルムの対応する第１カバー部分と、前記第１及び第２遮蔽フィルムの対応する第１挟まれた部分とを有し、これらが前記第１導体セットの片側に第１挟まれたケーブル部分を形成する、第１導体セットを含む、遮蔽電気ケーブルと、
前記ケーブル内の少なくとも前記曲げを包含する電気コネクターであって、前記絶縁導体のうち少なくとも１本が、前記電気コネクターの少なくとも１つの接触に電気的に連結される、電気コネクターと、を含むケーブルアセンブリ。
【請求項８】
前記電気コネクターが、前記ケーブル上に形成された成形物を包含する、請求項７に記載のケーブルアセンブリ。
【請求項９】
前記ケーブルが、前記電気コネクターによって包含されない第２の曲げを更に含み、前記第２の曲げが、前記ケーブルの幅を横切って延在する第２の折り目の周りで少なくとも４５°の、最大５ｍｍの内側半径を有する、請求項７又は８に記載のケーブルアセンブリ。
【請求項１０】
少なくとも１つの前記導体セットが、少なくとも１Ｇｂ／ｓの最大データ伝送速度のために適合される、請求項７〜９のいずれか一項に記載のケーブルアセンブリ。
【発明の詳細な説明】
【技術分野】
【０００１】
本開示は、電気信号伝送用の遮蔽電気ケーブルに全般に関連し、特に、マス終端とすることができ、高速電気特性を提供できる、遮蔽電気ケーブルに関連する。
【背景技術】
【０００２】
現代の電気デバイスに使用されるデータ伝送速度の増大により、高速の電磁気信号を効率的に（例えば１ＧＢ／ｓ）伝送することができる電気ケーブルの需要が存在する。これらの目的に使用されるケーブルタイプの１つが、同軸ケーブルである。同軸ケーブルは概して、絶縁体によって包囲された導電性ワイヤーを含む。ワイヤー及び絶縁体は遮蔽体によって包囲され、ワイヤー、絶縁体、及び遮蔽体はジャケットによって包囲されている。電気ケーブルの他のタイプは、例えば、金属箔によって形成された遮蔽層によって包囲された１つ以上の絶縁信号導体を有する遮蔽電気ケーブルである。
【０００３】
これら両方のタイプの電気ケーブルとも、端末用に特別に設計されたコネクターを使用する必要があり、例えば、複数の導体を個別の接触エレメントに同時に接続することになるなど、マス終端技法の使用には適さないことがしばしばある。電気ケーブルは、これらのマス終端技法を促進するために開発されてきたが、これらのケーブルはしばしば、それらを量産する能力、それらの終端端部を調製する能力、それらの可撓性、及びそれらの電気性能において制約を有する。
【発明の概要】
【課題を解決するための手段】
【０００４】
本発明は、高速の電気データケーブルを目的とする。一実施形態において、遮蔽電気ケーブルは、ケーブルの長さに沿って延在し、ケーブルの幅に沿って互いに間隔を置いて配置されている、複数の導体セットを含む。各導体セットは、１つ以上の絶縁導体を含む。ケーブルは更に、ケーブルの対向する側に配置された第１及び第２の遮蔽フィルムを含む。第１及び第２のフィルムには、カバー部分及び挟まれた部分が含まれ、これらは横断面において、第１及び第２のフィルムのカバー部分が組み合わせて各導体セットを実質的に包含するよう配置される。第１及び第２のフィルムの挟まれた部分は、組み合わせて、各導体セットのそれぞれの側でケーブルの挟まれた部分を形成する。ケーブルは更に、ケーブルの挟まれた部分で、第１遮蔽フィルムを第２遮蔽フィルムに結合する第１接着層を含む。複数の導体セットは、隣り合う第１及び第２の絶縁導体を含み、かつ前記第１及び第２遮蔽フィルムの対応する第１カバー部分と、第１及び第２遮蔽フィルムの対応する第１挟まれた部分とを有し、これらが第１導体セットの一方の側に第１挟まれたケーブル部分を形成する、第１の導体セットを含む。絶縁導体のうち選択された１本が、２４ＡＷＧ（アメリカンワイヤーゲージ）（０．５１１ｍｍ）以下の直径のワイヤーを有し、内側半径が最大２ｍｍで１８０°以下の、ケーブル位置１か所でのケーブル横断曲げにより、そのケーブル位置近くでの選択された絶縁導体のケーブルインピーダンスにもたらされる、曲げていない形状のときにそのケーブル位置で測定した初期ケーブルインピーダンスからの変化が、２パーセント以下である。
【０００５】
一構成において、選択された絶縁導体のワイヤー直径が、２６ＡＷＧ（０．４０５ｍｍ）以下であり、内側半径が最大１ｍｍで１８０°以下の、ケーブル位置１か所でのケーブル横断曲げにより、そのケーブル位置近くでの選択された絶縁導体のケーブルインピーダンスにもたらされる、初期ケーブルインピーダンスからの変化が、１パーセント以下である。別の一実施形態において、選択された絶縁導体は、導体セットのうち選択された１つの一部であり、この導体セットには、直径が２４ＡＷＧ（０．５１１ｍｍ）以下で公称差動インピーダンスが１００オームであるワイヤーが含まれる。そのような場合において、ケーブルの横断曲げにより、そのケーブル位置近くでの選択された導体セットの差動ケーブルインピーダンスが、曲げていない形状のときにそのケーブル位置で測定した初期差動ケーブルインピーダンスからの変化が、２オーム以下である。またそのような場合において、少なくとも２本の絶縁導体のワイヤー直径が、２６ＡＷＧ（０．４０５ｍｍ）以下であり得、よって、第２の内側半径が最大１ｍｍで１８０°以下の、ケーブル位置１か所でのケーブル横断曲げにより、そのケーブル位置近くでの選択された絶縁導体セットの差動ケーブルインピーダンスにもたらされる、初期差動ケーブルインピーダンスからの変化が、１オーム以下である。
【０００６】
上述の任意の実施形態において、選択された絶縁導体が、公称ケーブルインピーダンス５０オームを有し、その場合、そのケーブル位置近くでの選択された絶縁導体のケーブルインピーダンスは、初期ケーブルインピーダンスからの変化が、１オーム以下である。これらの実施形態の任意の実施形態において、ケーブルは、ケーブルの幅を横切って延在する折り目の周りで内側半径が最大で５ｍｍの、少なくとも４５°のケーブルの曲げを更に含む。そのような場合において、曲げは少なくとも９０°であり、かつケーブルを封入する構造形状に適合し、及び／又は、曲げは少なくとも１８０°であり、かつ折り目はケーブルの長手方向縁部に対するある折り角度であり、これによって、平面に対する曲げの前後の近接領域を平らにすることに対応して、ケーブルがある転回角度で転回する。後者の場合において、折り角度は４５°であってよく、転回角度は９０°であってよい。
【０００７】
別の一実施形態において、遮蔽電気ケーブルは、ケーブルの長さに沿って延在し、ケーブルの幅に沿って互いに間隔を置いて配置されている、複数の導体セットを含む。各導体セットは、１つ以上の絶縁導体を含む。ケーブルは更に、ケーブルの対向する側に配置された第１及び第２の遮蔽フィルムを含む。第１及び第２のフィルムには、カバー部分及び挟まれた部分が含まれ、これらは横断面において、第１及び第２のフィルムのカバー部分が組み合わせて各導体セットを実質的に包含するよう配置される。第１及び第２のフィルムの挟まれた部分は、組み合わせて、各導体セットのそれぞれの側でケーブルの挟まれた部分を形成する。ケーブルは更に、ケーブルの挟まれた部分で、第１遮蔽フィルムを第２遮蔽フィルムに結合する第１接着層を含む。複数の導体セットは、隣り合う第１及び第２の絶縁導体を含み、かつ第１及び第２遮蔽フィルムの対応する第１カバー部分と、第１及び第２遮蔽フィルムの対応する第１挟まれた部分とを有し、これらが第１導体セットの一方の側に第１挟まれたケーブル部分を形成する、第１の導体セットを含む。絶縁導体のうち選択された１本が、２４ＡＷＧ（アメリカンワイヤーゲージ）（０．５１１ｍｍ）以下の直径のワイヤーを有し、内側半径が最大５ｍｍで１８０°以下の、ケーブル位置１か所でのケーブル横断曲げによって、そのケーブル位置近くでの選択された絶縁導体の挿入損失にもたらされる、曲げていない形状のときにそのケーブル位置で測定した初期挿入損失からの変化が、０．５ｄＢ以下である。
【０００８】
この実施形態において、ケーブルは、ケーブルの幅を横切って延在する折り目の周りで内側半径が最大で５ｍｍの、少なくとも４５°のケーブルの曲げを更に含む。そのような場合において、曲げは少なくとも９０°であり、かつケーブルを封入する構造形状に適合し、及び／又は、曲げは少なくとも１８０°であり、かつ折り目はケーブルの長手方向縁部に対して、ある折り角度であり、これによって、平面に対する曲げの前後の近接領域を平らにすることに対応して、ケーブルがある転回角度で転回する。後者の場合において、折り角度は４５°であってよく、転回角度は９０°であってよい。
【０００９】
本発明の別の一実施形態において、遮蔽電気ケーブルは、ケーブルの長さに沿って延在し、ケーブルの幅に沿って互いに間隔を置いて配置されている、複数の導体セットを含む。各導体セットは、１つ以上の絶縁導体を含む。ケーブルは更に、ケーブルの対向する側に配置された第１及び第２の遮蔽フィルムを含む。第１及び第２のフィルムには、カバー部分及び挟まれた部分が含まれ、これらは横断面において、第１及び第２のフィルムのカバー部分が組み合わせて各導体セットを実質的に包含するよう配置される。第１及び第２のフィルムの挟まれた部分は、組み合わせて、各導体セットのそれぞれの側でケーブルの挟まれた部分を形成する。ケーブルは更に、ケーブルの挟まれた部分で、第１遮蔽フィルムを第２遮蔽フィルムに結合する第１接着層を含む。複数の導体セットは、隣り合う第１及び第２の絶縁導体を含み、かつ第１及び第２遮蔽フィルムの対応する第１カバー部分と、第１及び第２遮蔽フィルムの対応する第１挟まれた部分とを有し、これらが第１導体セットの一方の側に第１挟まれたケーブル部分を形成する、第１の導体セットを含む。３．０インチ（７．６２ｃｍ）離れた２つの支持点に単純に支えられているこのケーブルに対し、その支持点の中間点に力を適用することによって、少なくとも１インチ（２．５４ｃｍ）の、力方向へのたわみが生じる。この重量ポンドで測定される力は、絶縁導体それぞれの個々の力の合計を超えることはなく、ここで個々の力は、ワイヤー直径をインチで表わした場合に、それぞれの絶縁導体のワイヤ直径の３乗に１１０００を掛けた値に等しい。
【００１０】
一構成において、ワイヤー直径は２４ＡＷＧ（アメリカンワイヤーゲージ）（０．５１１ｍｍ）以下であり得る。これらの構成の任意のものにおいて、最大力は、たわみが１インチ〜１．５インチ（２．５４ｃｍ〜３．８１ｃｍ）の間の時に起こり得る。同様に、これらの構成の任意の構成において、ケーブルは、ケーブルの幅を横切って延在する折り目の周りで内側半径が最大で５ｍｍの、少なくとも４５°のケーブルの曲げを更に含む。そのような場合において、曲げは少なくとも９０°であり、かつケーブルを封入する構造形状に適合し得る。あるいは、そのような場合において、曲げは少なくとも１８０°であり、かつ折り目はケーブルの長手方向縁部に対して、ある折り角度であり、これによって、平面に対する曲げの前後の近接領域を平らにすることに対応して、ケーブルが、ある転回角度で転回する。例えば、折り角度は４５°であってよく、転回角度は９０°であってよい。
【００１１】
本発明の別の一実施形態において、ケーブルアセンブリは遮蔽電気ケーブルを含む。この遮蔽電気ケーブルは、ケーブルの長さに沿って延在し、ケーブルの幅に沿って互いに間隔を置いて配置されている、複数の導体セットを含む。各導体セットは、１つ以上の絶縁導体を含む。ケーブルは更に、ケーブルの対向する側に配置された第１及び第２の遮蔽フィルムを含む。第１及び第２のフィルムには、カバー部分及び挟まれた部分が含まれ、これらは横断面において、第１及び第２のフィルムのカバー部分が組み合わせて各導体セットを実質的に包含するよう配置される。第１及び第２のフィルムの挟まれた部分は、組み合わせて、各導体セットのそれぞれの側でケーブルの挟まれた部分を形成する。ケーブルは更に、ケーブルの挟まれた部分で、第１遮蔽フィルムを第２遮蔽フィルムに結合する第１接着層を含む。複数の導体セットは、隣り合う第１及び第２の絶縁導体を含み、かつ第１及び第２遮蔽フィルムの対応する第１カバー部分と、第１及び第２遮蔽フィルムの対応する第１挟まれた部分とを有し、これらが第１導体セットの一方の側に第１挟まれたケーブル部分を形成する、第１の導体セットを含む。このケーブルアセンブリは更に、ケーブル内の少なくとも曲げ部分を包含する電気コネクターを含み、絶縁導体のうち少なくとも１本が、電気コネクターの少なくとも１つの接触に電気的に連結される。
【００１２】
一構成において、この電気コネクターは、ケーブル上に形成された成形物、及び／又はマルチピースのハウジングを包含し得る。これらの構成の任意のものにおいて、コネクターはパドルカードコネクターを含み得る。同様に、曲げは、これらの構成において、折り目に沿って少なくとも９０°であり得、曲げの内側半径は最大１ｍｍであり得る。これらの構成の任意のものにおいて、電気コネクターは、ケーブルの端部に配置することができ、及び／又はケーブルの中間部分に配置することができる。絶縁導体は、２４ＡＷＧ（アメリカンワイヤーゲージ）（０．５１１ｍｍ）以下の直径のワイヤーを有し得る。
【００１３】
これらのバリエーションの任意のものにおいて、ケーブルは更に、電気コネクターによって包含されない第２の曲げを含んでもよく、この第２の曲げは、ケーブルの幅を横切って延在する第２の折り目に沿い、少なくとも４５°であり、第２の曲げは、最大５ｍｍの内側半径を有する。この第２の曲げは少なくとも９０°であり、かつケーブルアセンブリを封入する構造形状に適合し、及び／又は、第２の曲げは少なくとも１８０°であり、かつ第２の折り目はケーブルの長手方向縁部に対して、ある折り角度であり、これによって、平面に対する第２の曲げの前後の近接領域を平らにすることに対応して、ケーブルがある転回角度で転回する。そのような場合において、第２の折り角度は４５°であってよく、転回角度は９０°であってよい。これらの実施形態の任意のものにおいて、それぞれのケーブルの少なくとも１つの導体セットが、少なくとも１Ｇｂ／ｓの最大データ伝送速度のために適合できる。
【００１４】
これら及びさまざまな他の特性が、本明細書に添付されている請求項に特に記述されており、本明細書の一部分を形成する。図面の参照も行われ、これらは本明細書の更なる一部分を形成するものであり、並びに付随する説明文に対する参照も行われ、ここにおいてこれらは、システム、装置、及び方法の、例示及び記述された代表的実施例である。
【図面の簡単な説明】
【００１５】
【図１】例示の遮蔽電気ケーブルの斜視図。
【図２ａ】更なる例示の遮蔽電気ケーブルの前側断面図。
【図２ｂ】更なる例示の遮蔽電気ケーブルの前側断面図。
【図２ｃ】更なる例示の遮蔽電気ケーブルの前側断面図。
【図２ｄ】更なる例示の遮蔽電気ケーブルの前側断面図。
【図２ｅ】更なる例示の遮蔽電気ケーブルの前側断面図。
【図２ｆ】更なる例示の遮蔽電気ケーブルの前側断面図。
【図２ｇ】更なる例示の遮蔽電気ケーブルの前側断面図。
【図３ａ】遮蔽電気ケーブルの終端構成要素への例示的な終端プロセスのさまざまな手順を示した平面図。
【図３ｂ】遮蔽電気ケーブルの終端構成要素への例示的な終端プロセスのさまざまな手順を示した平面図。
【図３ｃ】遮蔽電気ケーブルの終端構成要素への例示的な終端プロセスのさまざまな手順を示した平面図。
【図３ｄ】遮蔽電気ケーブルの終端構成要素への例示的な終端プロセスのさまざまな手順を示した平面図。
【図４ａ】また更なる例示の遮蔽電気ケーブルの前側断面図。
【図４ｂ】また更なる例示の遮蔽電気ケーブルの前側断面図。
【図４ｃ】また更なる例示の遮蔽電気ケーブルの前側断面図。
【図５ａ】遮蔽電気ケーブル製造の例示的方法を示す斜視図。
【図５ｂ】遮蔽電気ケーブル製造の例示的方法を示す斜視図。
【図５ｃ】遮蔽電気ケーブル製造の例示的方法を示す斜視図。
【図６ａ】遮蔽電気ケーブル製造の例示的方法の詳細を示す前側断面図。
【図６ｂ】遮蔽電気ケーブル製造の例示的方法の詳細を示す前側断面図。
【図６ｃ】遮蔽電気ケーブル製造の例示的方法の詳細を示す前側断面図。
【図７ａ】例示的遮蔽電気ケーブルを製造する別の一態様を示す前側詳細断面図。
【図７ｂ】例示的遮蔽電気ケーブルを製造する別の一態様を示す前側詳細断面図。
【図８ａ】遮蔽電気ケーブルの別の例示的実施形態の前側断面図。
【図８ｂ】図８ａの遮蔽電気ケーブルの別の例示的実施形態の前側断面図に対応する詳細図。
【図９】別の例示的遮蔽電気ケーブルの一部の前側断面図。
【図１０】別の例示的遮蔽電気ケーブルの一部の前側断面図。
【図１１ａ】例示的な遮蔽電気ケーブルの別の２つの部分の前側断面図。
【図１１ｂ】例示的な遮蔽電気ケーブルの別の２つの部分の前側断面図。
【図１２】例示的な遮蔽電気ケーブルの電気的分離性能を、従来型電気ケーブルと比較したグラフ。
【図１３】別の例示的遮蔽電気ケーブルの前側断面図。
【図１４】例示的な遮蔽電気ケーブル用途の斜視図。
【図１５】例示的なケーブルの曲げ／折り畳みの側面図。
【図１６】例示的なケーブルの曲げ／折り畳みの側面図。
【図１７】ケーブルの力対たわみを測定するための例示的な試験セットアップを示したブロック図。
【図１８】ケーブルの例示的な力−たわみ試験の結果を示すグラフ。
【図１９】ケーブルの例示的な力−たわみ試験の結果を示すグラフ。
【図２０】例示的なケーブルの力−たわみ試験の平均値をまとめた対数グラフ。
【図２１】例示的実施形態によるケーブルの曲げ領域において差動インピーダンスの時間領域反射率計による測定値を示すグラフ。
【図２２】例示的実施形態によるコネクターの側面断面図。
【図２３】例示的実施形態によるコネクターの側面断面図。
【図２４】例示的実施形態によるコネクターの側面断面図。
【図２５】例示的実施形態によるコネクターの側面断面図。
【図２６】例示的実施形態によるコネクターの側面断面図。
【図２７】例示的実施形態によるコネクターの側面断面図。図中、同様の参照数字は同様の構成要素を示す。
【発明を実施するための形態】
【００１６】
以下の説明では、本明細書の一部を構成し、本発明が実施され得るさまざまな実施形態が実例として示される、添付図面を参照する。本発明の範囲から逸脱することなく構造的及び動作的な変更がなされ得ることから、他の実施形態が利用される場合もある点は理解されるべきである。したがって、以下の詳細な説明は限定的な意味で解釈されるべきものではなく、本発明の範囲は添付の特許請求の範囲によって定義されるものである。
【００１７】
高速（例えば＞１ＧＢ／ｓ）の高シグナル・インテグリティ接続を必要とする用途の数は増大している。これらの用途には、企業内コンピューティング、ネットワーク通信、工場オートメーション、医療、検査及び計器等が挙げられ得る。これらの用途には、差動駆動導体の平行ペアを含む２芯同軸（「Ｔｗｉｎａｘ」）伝送線が使用され得る。導体の各ペアは、データ伝送チャンネル専用となり得る。これらの目的のために選択される構成体はしばしば、ジャケットで包まれた遮蔽付き導体ペアの緩い束である。このジャケットはしばしば、導体束の周囲を螺旋パターンでラップした遮蔽及び／又は絶縁によって形成される。
【００１８】
これらのチャンネルからより高速を、アセンブリ当たり、より多くのチャンネルを、用途が要求するようになっている。その結果、現行のｔｗｉｎａｘ伝送線にまさる、改善された終端シグナル・インテグリティ、終端コスト、インピーダンス／スキュー制御、及びケーブル価格を備えたケーブルのニーズが求められる。本開示は、とりわけ差動駆動導体セットに好適な、遮蔽付き電気リボンケーブルを全般に目的とする。このケーブルは、そのリボン構造により、類似のピッチのプリント基板コネクターを容易に終端とすることができる。そのような終端は、非常に高い終端シグナル・インテグリティを提供することができる。この種のケーブル構造は一般に、導体の間に特定の隙間をあけて片側又は両側の基材に接着された平行絶縁ワイヤーを含み得る。この基材は、接地面を含んでいても、含んでいなくともよい。そのようなケーブルは、従来の束構造（例えば差動ペア、２芯同軸（ｔｗｉｎａｘ）など）の代替として使用することができ、ケーブルコスト、終端コスト、スキュー、及び終端寄生振動が低くなることが期待される。
【００１９】
高性能及び高速用途に現在使用されている遮蔽付きケーブルは、曲げ位置でインピーダンスの不連続性が生じ得るため、通常、急角度の曲げは行われない。そのような不連続性は望ましくない反射を生じ、全体的な電気性能を低下させることがある。例えば、ギガビットデータ用途用の従来型平行ペアｔｗｉｎａｘケーブルは、重なり合った遮蔽（螺旋状ラップ）及びポリマーフィルムの外層で構築され、曲げられているときに、ラップ遮蔽を定位置に維持するようにすることが可能である。このラップ層は曲げるケーブルに顕著な剛性をもたらし、曲げ位置のケーブル内で挟まれた及び局所的な幾何学的変化をもたらすこともある。これにより、曲げ位置及び曲げ位置の近接領域でケーブル特性（例えばインピーダンス）が有意に変化する。
【００２０】
従来のラップされた平行ペアｔｗｉｎａｘケーブルに比べ、本開示に記述されるリボンケーブル構造は、ケーブルの急角度の曲げが必要な用途において改善された性能を呈し得る。これらの遮蔽付き構造及びケーブル構造は、急角度に曲げた後であっても高いケーブル電気性能を維持し得る。例えば、そのようなリボンケーブルは、コネクター内でケーブルを急角度に曲げる必要があるようなコネクターに使用することができる。この構造はまた、類似の材料を用いた従来型のラップされた構造に比べ、曲げの際に剛性がずっと低く（例えば２分の１までに）なり得る。この低い剛性と、曲げた場合の電気性能に対する影響が最小限であることにより、そのようなケーブルは、従来型のケーブルよりも急角度に曲げることが可能になり、よってスペースの節約になり、所与の用途においてより高い配線可能性を提供する。
【００２１】
より良い構成と便宜のためにさまざまなセクション及びセクション見出しが提供されているが、これらは制限的な意味で解釈されるべきものではないことに注意されたい。例えば、セクション及びセクション見出しは、あるセクションの技法、方法、特徴、又は構成要素が、別のセクションの技法、方法、特徴、又は構成要素と共に使用できないことを意味するものと解釈されるべきではない。逆に、任意のセクションで提供されるあらゆる情報は、明確に別途記載のない限り、別の任意のセクションにおける情報にも適用されることが意図されている。
【００２２】
セクション１：遮蔽付きケーブル構造と特徴
相互接続されるデバイスの数と速度が増大するにつれて、それらのデバイス間で信号を伝える電気ケーブルは、許容できない干渉又はクロストークを起こさずに、より小さく、かつより高速で信号を伝えることが可能である必要がある。一部の電気ケーブルでは、隣接する導体によって伝達される信号と信号の間の相互作用を低減するため、遮蔽が使用される。本明細書で記述されるケーブルの多くは、一般に平坦な形状を有し、ケーブルの長さに沿って延在する導体セットと、そのケーブルの相対する面上に配置された電気遮蔽フィルムと、を含む。隣接する導体セットの間にある、遮蔽フィルムの挟まれた部分は、導体セットを電気的に互いに分離するのに役立つ。多くのケーブルには更に、遮蔽体に電気的に接続され、ケーブルの長さに沿って延在する、ドレイン線も含まれる。本明細書で記述されるケーブル仕様は、導体セットとドレイン線への接続を単純化し、ケーブル接続部位の大きさを縮小し、及び／又はケーブルのマス終端の機会を提供するのに役立ち得る。
【００２３】
図１では、代表的な遮蔽電気ケーブル２が示されており、これには、複数の導体セット４が、ケーブル２の幅ｗの全幅又は一部に沿って互いに間隔をあけて配置され、ケーブル２の長さＬの長さに沿って延在して、含まれている状態が示されている。ケーブル２は、図１に示すように、概ね平面的形状に配置することができ、又は長さに沿って１か所以上で折り畳んだ形状であってもよい。いくつかの実施において、ケーブル２の一部は平面的形状であり、かつケーブルの別の部分は折り畳まれていてもよい。いくつかの構成において、ケーブル２の導体セット４のうちの少なくとも１つは、ケーブル２の長さＬに沿って延在する２本の絶縁導体６を含む。導体セット４のこの２本の絶縁導体６は、ケーブル２の長さＬ全体又は一部と実質的に平行に配置することができる。絶縁導体６は、絶縁信号線、絶縁電源線、又は絶縁接地線を含み得る。２枚の遮蔽フィルム８が、ケーブル２の相対する面上に配置される。
【００２４】
第１及び第２の遮蔽フィルム８が、横断面において、ケーブル２にカバー領域１４と挟まれた領域１８とが含まれるように配置される。ケーブル２のカバー領域１４において、横断面での第１及び第２遮蔽フィルム８のカバー部分７は、各導体セット４を実質的に包囲する。例えば、遮蔽フィルムのカバー部分は、任意の所与の導体セットの外周の少なくとも７５％、又は少なくとも８０％、８５％、又は９０％を総じて包含する。第１及び第２遮蔽フィルムの挟まれた部分９は、各導体セット４の各面においてケーブル２の挟まれた領域１８を形成する。ケーブル２の挟まれた領域１８において、遮蔽フィルム８の片方又は両方を屈曲させて、遮蔽フィルム８の挟まれた部分９をより近づける。いくつかの構成において、図１に示すように、両方の遮蔽フィルム８を挟まれた領域１８において屈曲させて、挟まれた部分９をより近づける。いくつかの構成において、ケーブルが平面的又は折り畳まれていない構成のとき、遮蔽フィルムの一方は挟まれた領域１８において比較的平坦なままであり、かつ、ケーブルの反対側にあるもう一方の遮蔽フィルムを屈曲させて、遮蔽フィルムの挟まれた部分をより近づけてもよい。
【００２５】
ケーブル２には更に、少なくとも挟まれた部分９の間で、遮蔽フィルム８の間に配置された接着層１０も含まれ得る。接着層１０は、ケーブル２の挟まれた領域１８において遮蔽フィルム８の挟まれた部分９を互いに接着させる。接着層１０はケーブル２のカバー領域１４内に存在してもしなくてもよい。
【００２６】
いくつかの場合において、導体セット４は、横断面において実質的に曲線的形状の被覆又は外周を有し、遮蔽フィルム８は導体セット４の周囲に配置され、これによって、ケーブル６の長さＬの少なくとも一部、及び好ましくは実質的に全体に沿って、その断面形状に実質的にぴったり沿い、かつその断面形状を維持する。断面形状を維持することは、導体セット４の設計において意図されるように、導体セット４の電気的特性を維持する。いくつかの従来の遮蔽電気ケーブルでは、導体セットの周囲に伝導性遮蔽体を配置することによって、導体セットの断面形状を変化させるため、これはそのような従来の遮蔽電気ケーブルよりも有利である。
【００２７】
図１に示す実施形態において、各導体セット４がどれも正確に２本の絶縁導体６を有しているが、別の実施形態においては、導体セットの一部又はすべてが絶縁導体を１本だけ有していてもよく、又は２本を超える絶縁導体６を有していてもよい。例えば、図１の設計に類似の別の遮蔽電気ケーブルには、１つの導体セットに８本の絶縁導体６が含まれていてよく、又は、８つの導体セットがそれぞれ、絶縁導体６を１本だけ有していてもよい、１つの導体セットを含んでもよい。導体セット及び絶縁導体の配置におけるこのような柔軟性により、本開示の遮蔽電気ケーブルを、幅広い種類の意図される用途に好適な方法で構成することが可能になる。例えば、導体セット及び絶縁導体は、複数の２芯同軸ケーブル（すなわち、それぞれが２本の絶縁導体を有する複数の導体セット、複数の同軸ケーブル、すなわち、それぞれが１本の絶縁導体を含む複数の導体セット、又はこれらの組み合わせ）を形成するように構成されてもよい。いくつかの実施形態において、導体セットは更に、１つ以上の絶縁導体の外周に配置される伝導性遮蔽体（図示なし）、及び伝導性遮蔽体の外周に配置される絶縁ジャケット（図示なし）を更に含んでもよい。
【００２８】
図１に示される実施形態において、遮蔽電気ケーブル２は、所望による接地導体１２を更に含む。接地導体１２は、接地線又はドレイン線を含んでもよい。接地導体１２は、絶縁導体６から離間され、実質的に絶縁導体６と同じ方向に延在し得る。遮蔽フィルム８は接地導体１２の周囲に配置できる。接着層１０は、接地導体１２の両面で、挟まれた部分９において互いに遮蔽フィルム８を接着し得る。接地導体１２は遮蔽フィルム８の少なくとも一方と電気的に接触してもよい。
【００２９】
図２ａ〜２ｇの断面図は、さまざまな遮蔽電気ケーブル、又はケーブルの一部を表わし得る。図２ａにおいて、遮蔽電気ケーブル１０２ａには、単一の導体セット１０４が含まれる。導体セット１０４はケーブルの長さに沿って延在し、単一の絶縁導体１０６のみを有する。望ましい場合は、ケーブル１０２ａは、ケーブル１０２ａの幅を横切って離間され、ケーブルの長さに沿って延在する、複数の導体セット１０４を含むよう製作することができる。２枚の遮蔽フィルム１０８が、ケーブルの相対する面上に配置される。ケーブル１０２ａには、カバー領域１１４及び挟まれた領域１１８が含まれる。ケーブル１０２ａのカバー領域１１４において、遮蔽フィルム１０８には、導体セット１０４をカバーするカバー部分１０７が含まれる。横断面において、カバー部分１０７は、組み合わせることにより、実質的に導体セット１０４を包囲する。ケーブル１０２ａの挟まれた領域１１８において、遮蔽フィルム１０８には、導体セット１０４のそれぞれの側に、挟まれた部分１０９が含まれる。
【００３０】
所望による接着層１１０は、遮蔽フィルム１０８の間に配置され得る。遮蔽電気ケーブル１０２ａには、所望により接地導体１１２が更に含まれる。接地導体１１２は、絶縁導体１０６から離間され、かつ実質的に絶縁導体１０６と同じ方向に延在する。導体セット１０４と接地導体１１２は、図２ａに示すように、概ね単一平面に並ぶように配置することができる。
【００３１】
遮蔽フィルム１０８の第２カバー部分１１３は、接地導体１１２の周囲に配置され、接地導体１１２を覆う。接着層１１０は、接地導体１１２の両面で、互いに遮蔽フィルム１０８を接着し得る。接地導体１１２は遮蔽フィルム１０８の少なくとも１つと電気的に接触してもよい。図２ａにおいて、絶縁導体１０６と遮蔽フィルム１０８は、同軸ケーブル構成に効果的に配置される。図２ａの同軸ケーブル構成は、単一端回路配置に使用することができる。
【００３２】
図２ａの横断面図に示されているように、遮蔽フィルム１０８のカバー部分１０７の間には最大離間Ｄがあり、遮蔽フィルム１０８の挟まれた部分１０９の間には最小離間ｄ１がある。
【００３３】
図２ａにおいて、接着層１１０は、ケーブル１０２の挟まれた領域１１８においては遮蔽フィルム１０８の挟まれた部分１０９の間に配置されて示され、ケーブル１０２ａのカバー領域１１４においては遮蔽フィルム１０８のカバー部分１０７と絶縁導体１０６との間に配置されて示されている。この構成において、接着層１１０は、ケーブルの挟まれた領域１１８においては遮蔽フィルム１０８の挟まれた部分１０９を共に接着し、ケーブル１０２ａのカバー領域１１４においては遮蔽フィルム１０８のカバー部分１０７を絶縁導体１０６に接着する。
【００３４】
図２ｂの遮蔽付きケーブル１０２ｂは、図２ａのケーブル１０２ａと同様であり、同様の参照番号によって類似の構成要素が示されているが、ただし図２ｂにおいては、所望による接着層１１０ｂが、ケーブル１０２のカバー領域１１４において遮蔽フィルム１０８のカバー部分１０７と絶縁導体１０６との間に存在しない。この構成において、接着層１１０ｂは、ケーブルの挟まれた領域１１８においては遮蔽フィルム１０８の挟まれた部分１０９を接着しているが、接着層１１０は、ケーブル１０２のカバー領域１１４においては遮蔽フィルム１０８のカバー部分１０７を絶縁導体１０６に接着してはいない。
【００３５】
図２ｃを参照し、遮蔽電気ケーブル１０２ｃは、図２ａの遮蔽付きケーブル１０２ａと同様であるが、ただしケーブル１０２ｃは、２本の絶縁導体１０６ｃを有する単一の導体セット１０４ｃを有している。望ましい場合は、ケーブル１０２ｃは、ケーブル１０２ｃの幅を横切って離間されケーブルの長さ方向に沿って延在する複数の導体セット１０４ｃを含むよう製作することができる。絶縁導体１０６ｃは、概ね単一平面に、かつ２芯同軸構成に効果的に配置される。図２ｃの２芯同軸ケーブル構成は、差動ペア回路構成、又は単一端回路構成に使用することができる。
【００３６】
２枚の遮蔽フィルム１０８ｃが、導体セット１０４ｃの相対する面上に配置される。ケーブル１０２ｃには、カバー領域１１４ｃ及び挟まれた領域１１８ｃが含まれる。ケーブル１０２ｃのカバー領域１１４ｃにおいて、遮蔽フィルム１０８ｃには、導体セット１０４ｃをカバーするカバー部分１０７ｃが含まれる。横断面において、カバー部分１０７ｃは、組み合わせることにより、実質的に導体セット１０４ｃを包囲する。ケーブル１０２ｃの挟まれた領域１１８ｃにおいて、遮蔽フィルム１０８ｃには、導体セット１０４ｃのそれぞれの側に、挟まれた部分１０９ｃが含まれる。
【００３７】
所望による接着層１１０ｃは、遮蔽フィルム１０８ｃの間に配置され得る。遮蔽電気ケーブル１０２ｃは、前に述べた接地導体１１２に類似の接地導体１１２ｃを更に含む。接地導体１１２ｃは、絶縁導体から離間され、実質的に絶縁導体１０６ｃと同じ方向に延在する。導体セット１０４ｃと接地導体１１２ｃは、図２ｃに示すように、概ね単一平面に並ぶように配置することができる。
【００３８】
図２ｃの断面図に示されているように、遮蔽フィルム１０８ｃのカバー部分１０７ｃの間には最大離間Ｄがあり、遮蔽フィルム１０８ｃの挟まれた部分１０９ｃの間には最小離間ｄ１があり、絶縁導体１０６ｃの間の遮蔽フィルム１０８ｃの間には最小離間ｄ２がある。
【００３９】
図２ｃでは、接着層１１０ｃが、ケーブル１０２ｃの挟まれた領域１１８ｃにおいては遮蔽フィルム１０８ｃの挟まれた部分１０９ｃの間に配置されて示され、ケーブル１０２ｃのカバー領域１１４ｃにおいては遮蔽フィルム１０８ｃのカバー部分１０７ｃと絶縁導体１０６ｃとの間に配置されて示されている。この構成において、接着層１１０ｃは、ケーブル１０２ｃの挟まれた領域１１８ｃにおいては遮蔽フィルム１０８ｃの挟まれた部分１０９ｃを接着し、またケーブル１０２ｃのカバー領域１１４ｃにおいては遮蔽フィルム１０８ｃのカバー部分１０７ｃを絶縁導体１０６ｃに接着する。
【００４０】
図２ｄの遮蔽付きケーブル１０２ｄは、図２ｃのケーブル１０２ｃと同様であり、同様の参照番号によって類似の構成要素が示されているが、ただしケーブル１０２ｄにおいては、所望による接着層１１０ｄが、ケーブルのカバー領域１１４ｃにおいて遮蔽フィルム１０８ｃのカバー部分１０７ｃと絶縁導体１０６ｃとの間に存在しない。この構成において、接着層１１０ｄは、ケーブルの挟まれた領域１１８ｃにおいては遮蔽フィルム１０８ｃの挟まれた部分１０９ｃを接着しているが、ケーブル１０２ｄのカバー領域１１４ｃにおいては遮蔽フィルム１０８ｃのカバー部分１０７ｃを絶縁導体１０６ｃに接着しない。
【００４１】
ここで図２ｅを参照し、図２ａの遮蔽電気ケーブル１０２ａに数多くの点で類似の遮蔽電気ケーブル１０２ｅの横断面が示されている。しかしながら、ケーブル１０２ａには単一の絶縁導体１０６のみを有する単一の導体セット１０４が含まれているが、ケーブル１０２ｅには、ケーブル１０２ｅの長さに沿って延在する２本の絶縁導体１０６ｅを有する単一導体セット１０４ｅが含まれている。ケーブル１０２ｅは、ケーブル１０２ｅの幅を横切って互いに離間されケーブル１０２ｅの長さ方向に沿って延在する複数の導体セット１０４ｅを含むよう製作することができる。絶縁導体１０６ｅは撚線ペアケーブル構成に効果的に配列することができ、ここにおいて絶縁導体１０６ｅは、互いの回りを撚り合い、ケーブル１０２ｅの長さに沿って延在する。
【００４２】
図２ｆにおいて、別の遮蔽電気ケーブル１０２ｆが示されており、これも数多くの点で、図２ａの遮蔽電気ケーブル１０２ａに類似している。ケーブル１０２ａには単一の絶縁導体１０６のみを有する単一の導体セット１０４が含まれているが、ケーブル１０２ｆには、ケーブル１０２ｆの長さに沿って延在する４本の絶縁導体１０６ｆを有する単一導体セット１０４ｆが含まれている。ケーブル１０２ｆは、ケーブル１０２ｆの幅を横切って離間されケーブル１０２ｆの長さ方向に沿って延在する複数の導体セット１０４ｆを含むよう製作することができる。
【００４３】
絶縁導体１０６ｆは、４本組みケーブル構成に効果的に配置され、ここにおいて絶縁導体１０６ｆは、ケーブル１０２ｆの長さ方向に沿って絶縁導体１０６ｆが延在する際に、互いに撚り合っていてもよく、また撚り合っていなくてもよい。
【００４４】
図２ａ〜２ｆを再び参照し、遮蔽電気ケーブルの更なる実施形態には、概ね単一平面に配置される複数の離間された導体セット１０４、１０４ｃ、１０４ｅ、又は１０４ｆ、又はこれらの組み合わせが含まれ得る。所望により、遮蔽電気ケーブルには、導体セットの絶縁導体から離間され、かつ概ねこれと同じ方向に延在する、複数の接地導体１１２が含まれ得る。いくつかの構成において、この導体セット及び接地導体は、概ね単一平面に配置することができる。図２ｇは、このような遮蔽電気ケーブルの代表的な実施形態を図示する。
【００４５】
図２ｇを参照し、遮蔽電気ケーブル１０２ｇは、概ね単一平面に配置される複数の離間された導体セット１０４、１０４ｃを含む。遮蔽電気ケーブル１０２ｇは、導体セット１０４、１０４ｃの間に、及び遮蔽電気ケーブル１０２ｇの両側面又は縁に配置される、所望による接地導体１１２を更に含む。
【００４６】
第１及び第２遮蔽フィルム２０８は、ケーブル１０２ｇの相対する面に配置され、横断面においてケーブル１０２ｇがカバー領域２２４及び挟まれた領域２２８を含むように配置される。ケーブルのカバー領域２２４において、横断面での第１及び第２遮蔽フィルム２０８のカバー部分２１７は、各導体セット１０４、１０４ｃを実質的に包囲する。第１及び第２遮蔽フィルム２０８の挟まれた部分２１９は、各導体セット１０４、１０４ｃの両面において挟まれた領域２１８を形成する。
【００４７】
遮蔽フィルム２０８は接地導体１１２の周囲に配置される。所望による接着層２１０は、遮蔽フィルム２０８の間に配置されて、各導体セット１０４、１０４ｃの両面において、挟まれた領域２２８で、遮蔽フィルム２０８の挟まれた部分２１９を互いに接着している。遮蔽電気ケーブル１０２ｇは、同軸ケーブル構成（導体セット１０４）及び２芯同軸ケーブル構成（導体セット１０４ｃ）の組み合わせを含み、したがってハイブリッドケーブル構成と呼ばれることがある。
【００４８】
１本、２本、又はそれ以上の遮蔽電気ケーブルが、例えばプリント基板、パドルカード、及び同様物の終端構成要素に終端処理され得る。絶縁導体及び接地導体は概ね単一平面に配置できるため、本開示の遮蔽電気ケーブルは、マスストリッピング（mass-stripping）、すなわち絶縁導体からの遮蔽フィルム及び絶縁の同時ストリッピング、及びマス終端、すなわち絶縁導体及び接地導体のストリッピングされた端部の同時の終端に好適であり、これはより自動化されたケーブル組み立てプロセスを可能にする。これは、少なくとも本開示のいくつかの遮蔽電気ケーブルの利点である。絶縁導体及び接地導体のストリッピングされた端部は例えば、プリント基板などの導電性経路及びその他の構成要素に接触するよう終端処理することができる。別の場合において、絶縁導体及び接地導体のストリッピングされた端部は、任意の好適な終端デバイス、例えば電気コネクターの電気接触などの任意の好適な個々の接触構成要素に終端処理することができる。
【００４９】
図３ａ〜３ｄにおいて、プリント基板又はその他の終端構成要素３１４に対する遮蔽電気ケーブル３０２の代表的な終端プロセスが図示されている。この終端プロセスは、マス終端プロセスであってもよく、ストリッピング（図３ａ〜３ｂに図示される）、位置合わせ（図３ｃに図示される）、及び終端処理（図３ｄに図示される）の工程を含む。遮蔽電気ケーブル３０２を形成する際、これは本明細書に示され及び／又は記述される任意のケーブルの形態を概してとっていてよく、遮蔽電気ケーブル３０２の、導体セット３０４、絶縁導体３０６、及び接地導体３１２の配置は、プリント基板３１４上の接触エレメント３１６の配置に一致させることができ、これによって、位置合わせ又は終端処理中に遮蔽電気ケーブル３０２の端部において顕著な操作を排除するようにできる。
【００５０】
図３ａに図示されている工程では、遮蔽フィルム３０８の終端部３０８ａは除去されている。任意の好適な方法、例えば機械的ストリッピング又はレーザーストリッピングが使用されてもよい。この工程は、絶縁導体３０６及び接地導体３１２の終端部を露出させる。一態様において、遮蔽フィルム３０８の終端部３０８ａのマスストリッピングは、それらが、絶縁導体３０６の絶縁体から別個の一体化されて接続された層を形成するために、可能である。絶縁導体３０６から遮蔽フィルム３０８を取り除くことは、これらの位置における短絡に対する保護を可能にし、また、絶縁導体３０６及び接地導体３１２の露出した終端部の独立した動きをもたらす。図３ｂに図示された工程では、絶縁導体３０６の絶縁体の終端部３０６ａが取り除かれている。任意の好適な方法、例えば機械的ストリッピング又はレーザーストリッピングが使用されてもよい。この工程は、絶縁導体３０６の導体の終端部を露出させる。図３ｃに図示される工程では、遮蔽電気ケーブル３０２は、絶縁導体３０６の導体の終端部と、遮蔽電気ケーブル３０２の接地導体３１２の終端部とが、プリント基板３１４のコンタクト要素３１６と位置合わせされるように、プリント基板３１４と位置合わせされる。図３ｄに図示された工程では、絶縁導体３０６の導体の終端部、及び遮蔽電気ケーブル３０２の接地導体３１２の終端部は、プリント基板３１４のコンタクト要素３１６に終端される。使用され得る好適な終端方法の例には、いくつかの例を挙げると、はんだ付け、溶接、圧締め、機械的圧締め、接着結合が挙げられる。
【００５１】
いくつかの場合において、本開示の遮蔽電気ケーブルは、導体セットの間に配置される１本以上の長手方向のスリット又はその他の開裂を含めて製作することができる。この開裂は、遮蔽付きケーブルの長さの少なくとも一部に沿って、個々の導体セットを分離し、これによってケーブルの少なくとも横方向の可撓性を増加させる。これにより例えば、遮蔽付きケーブルを、曲線状の外側ジャケット内により容易に配置することが可能になり得る。他の実施形態において、この開裂部は、例えば個々の又は複数の導体セット及び接地導体を分離するように配置されてもよい。導体セット及び接地導体の間隔を維持するために、開裂部は、遮蔽電気ケーブルの長さに沿って不連続であってもよい。遮蔽電気ケーブルの少なくとも１つの終端部において、マス終端能力を維持しるよう、導体セットと接地導体の間隔を維持するために、開裂部は終端部の一方又は両方にまで延在しない場合がある。開裂部は任意の好適な方法、例えばレーザー切断又はパンチング等を使用して、遮蔽電気ケーブルに形成できる。長手方向の開裂部の代わりに、又はこれと組み合わせて、開口部の他の好適な形状、例えば穴などが本開示の遮蔽電気ケーブル内に形成され、これによりケーブルの少なくとも横方向の可撓性を増加させてもよい。
【００５２】
本開示の遮蔽付きケーブルに使用される遮蔽フィルムは、さまざまな構成のものにすることができ、さまざまな方法で製作できる。いくつかの場合において、１つ以上の遮蔽フィルムには、導電性層と、非導電性高分子層とが含まれ得る。導電性層は、銅、銀、アルミニウム、金、及びこれらの合金を含むが、これらに限定されない任意の好適な導電性材料を含み得る。非導電性高分子層は、ポリエステル、ポリイミド、ポリアミド−イミド、ポリテトラフルオロエチレン、ポリプロピレン、ポリエチレン、ポリフェニレンスルフィド、ポリエチレンナフタレート、ポリカーボネート、シリコーンゴム、エチレンプロピレンジエンゴム、ポリウレタン、アクリレート、シリコーン、天然ゴム、エポキシ、及び合成ゴム接着剤を含むが、これらに限定されない任意の好適な高分子材料を含み得る。非導電性高分子層には、対象用途に好適な特性をもたらすために、１つ以上の接着剤及び／又は充填剤を含めてもよい。いくつかの場合において、遮蔽フィルムの少なくとも１つは、導電性層と非導電性高分子層との間に配置される積層接着層を含んでもよい。非導電性層上に配置された導電性層を有するような、あるいは、導電性の一方の主外表面と、実質的に非導電性の相対する主外表面と、を有するような、遮蔽フィルムについては、この遮蔽フィルムを、望むようにいくつかの異なる向きに遮蔽付きケーブル内に組み込むことができる。いくつかの場合において、例えば、導電性表面は絶縁線と接地線の導体セットに面していてよく、またある場合では、非導電性表面がこれら構成要素に面していてよい。２枚の遮蔽フィルムがケーブルの対向する側に使用される場合において、このフィルムは、導電性表面が互いに向き合い、かつそれぞれが導体セット及び接地線に向くような向きにすることができ、あるいは、非導電性表面が互いに向き合い、かつそれぞれが導体セット及び接地線に向くような向きにすることができ、あるいは、一方の遮蔽フィルムの導電性表面が、導体セット及び接地線に向き合い、同時にケーブルの反対側からのもう一方の遮蔽フィルムの非導電性表面が、導体セット及び接地線に向き合うような向きにすることができる。
【００５３】
いくつかの場合において、遮蔽フィルムの少なくとも一方が、例えば順応性又は可撓性の金属ホイルなどの、独立型導電性フィルムであるか又はこれを含み得る。遮蔽フィルムの構成体は、例えば、遮蔽電気ケーブルの可撓性、電気性能、及び構成（例えば、接地導体の存在及び位置など）など、対象用途に好適な設計パラメーターの数を基準として選択されてもよい。いくつかの場合において、遮蔽フィルムには、一体成型構成体を有し得る。いくつかの場合において、遮蔽フィルムは０．０１ｍｍ〜０．０５ｍｍの範囲の厚さを有し得る。遮蔽フィルムは、導体セットの間の絶縁、遮蔽、及び精密な間隔を望ましいように提供し、かつより自動化され、より低いコストのケーブル製造プロセスを可能にする。更に、遮蔽フィルムは、「シグナルサックアウト（signalsuck-out）」すなわち、共振（これによって高信号減衰が特定の周波数帯域で生じる）として知られる現象を防ぐ。この現象は一般的に、導電性遮蔽体が導体セットの周囲にラップされている従来の遮蔽電気ケーブルに発生する。
【００５４】
本明細書の他の箇所で検討されているように、接着材料をケーブル構成体に使用して、ケーブルのカバー領域で導体セットの１つ、いくつか、若しくはすべてに対して１枚又は２枚の遮蔽フィルムを接着することができ、及び／又は、ケーブルの挟まれた領域で２枚の遮蔽フィルムを合わせて接着するのに使用することができる。接着材料の層は、少なくとも１枚の遮蔽フィルム上に配置することができ、２枚の遮蔽フィルムがケーブルの対向する側に使用されている場合には、接着材料の層を、両方の遮蔽フィルム上に配置することができる。後者の場合、一方の遮蔽フィルム上に使用される接着剤は好ましくは、他方の遮蔽フィルムに使用される接着剤と同じであり、しかしながら望ましい場合には、異なる接着剤であってもよい。所与の接着層に、電気絶縁性接着剤が含まれてもよく、また２枚の遮蔽フィルム間に絶縁性接着を提供してもよい。更に、所与の接着層が、少なくとも一方の遮蔽フィルムと、導体セットのうち１つ、いくつか、若しくはすべての絶縁導体との間に、絶縁性接着を提供することができ、また少なくとも１枚の遮蔽フィルムと、接地導体のうち１つ、いくつか、若しくはすべてとの間に、絶縁性接着を提供することができる。あるいは、所与の接着層に、導電性接着剤が含まれてよく、２枚の遮蔽フィルム間に導電性接着を提供することができる。更に、所与の接着層が、少なくとも１枚の遮蔽フィルムと、接地導体（存在する場合）のうち１つ、いくつか、若しくはすべてとの間に、導電性接着を提供することができる。好適な導電性接着剤は、電流の流れを提供するために導電性粒子を含む。導電性粒子は、現在使用されている任意のタイプの粒子、例えば、球体、フレーク、ロッド、立方体、非晶質、又は他の粒子形状であり得る。それらは、カーボンブラック、カーボンファイバー、ニッケル球体、ニッケルがコーティングされた銅球体、金属がコーティングされた酸化物、金属がコーティングされた高分子繊維、又は他の類似の導電性粒子など、固体又は実質的に固体粒子であってもよい。これらの導電性粒子は、銀、アルミニウム、ニッケル、又は酸化インジウムスズなどの導電材料でめっきされている若しくはコーティングされている電気絶縁材料から作製されてもよい。金属がコーティングされた絶縁材料は、実質的に中空の粒子、例えば中空のガラス球体であってもよく、又はガラスビーズ若しくは金属酸化物など中実材料を含んでもよい。導電性粒子は、カーボンナノチューブなど、約数十マイクロメートルから、ナノメーターサイズの大きさまでの材料であってもよい。好適な導電性接着剤はまた、導電性高分子マトリックスを含んでもよい。
【００５５】
所与のケーブル構成体で使用されるとき、接着層は好ましくは、ケーブルの他の構成要素に対して形状が実質的に順応性であり、ケーブルの曲げ運動に関して順応性である。いくつかの場合において、所与の接着層は実質的に連続であり得、例えば所与の遮蔽フィルムの所与の主表面の実質的に全長及び全幅に沿って延在し得る。いくつかの場合において、この接着層は、実質的に不連続であり得る。例えば、接着層は、所与の遮蔽フィルムの長さ又は幅に沿って一部分においてのみ存在し得る。不連続な接着層は例えば、各導体の両面にある遮蔽フィルムの挟まれた部分の間、及び、接地導体（存在する場合）の傍の遮蔽フィルムの間に配置される、長手方向の複数の接着剤ストライプを含み得る。所与の接着層は、感圧接着剤、ホットメルト接着剤、熱硬化性接着剤、及び硬化性接着材のうちの少なくとも１つであり得、又はそれを含み得る。接着層は、１つ以上の絶縁導体とその遮蔽フィルムとの間の接着よりも実質的に強い接着を、遮蔽フィルム間に提供するよう、構成することができる。これは、例えば接着剤配合の適切な選択により達成できる。この接着剤の構成の利点は、遮蔽フィルムが、絶縁導体の絶縁体から容易にストリップ可能であるということである。他の場合において、接着層は、遮蔽フィルム間に接着を提供するよう、１つ以上の絶縁導体とその遮蔽フィルムとの間の接着が、これと実質的に等しい強さの接着になるよう、構成することができる。この接着剤の構成の利点は、絶縁導体が遮蔽フィルム間に固定されるということである。この構造を有する遮蔽電気ケーブルを折り曲げたとき、相対的な移動をほとんどなくすことができ、よって遮蔽フィルムの座屈の発生を低減させることができる。好適な接着強度は対象用途によって選択されてもよい。いくつかの場合において、厚さが約０．１３ｍｍ未満の順応性のある接着層を使用することができる。代表的な実施形態において、接着層の厚さは約０．０５ｍｍ未満である。
【００５６】
所与の接着層は、遮蔽電気ケーブルの所望の機械的性能特性及び電気的性能特性を達成するように適合させてもよい。例えば、接着層は、導体セット間のエリアで遮蔽フィルム間が薄くなるよう適合させることができ、これにより遮蔽付きケーブルの少なくとも横方向の柔軟性が増大する。これにより、遮蔽付きケーブルを、曲線状の外側ジャケット内により容易に配置することが可能になり得る。いくつかの場合において、接着層は、すぐ隣接する導体セットのエリアにおいて、より厚くなるよう適合させることができ、実質的に導体セットに適合させることができる。これにより、これらのエリアで機械的強度を高め、遮蔽フィルムを曲線状形状に形成することが可能になり得、これにより例えば、ケーブルを曲げる際の遮蔽付きケーブルの耐久性を高めることが可能になる。加えて、これにより、遮蔽付きケーブルの長さに沿って遮蔽フィルムに対する絶縁導体の位置と間隔を保持するのに役立ち得、これにより、より均一なインピーダンスと優れた信号インテグリティの遮蔽付きケーブルが得られる可能性がある。
【００５７】
所与の接着層は、導体セットのエリア（例えばケーブルの挟まれた領域）の遮蔽フィルム間で、効果的に一部又は完全に除去するよう適合させることができる。その結果、遮蔽フィルムはこれらのエリアで互いに電気的に接触でき、これによりケーブルの電気的性能を高めることが可能になる。いくつかの場合において、少なくとも一方の遮蔽フィルムと接地導体との間で、接着層を効果的に一部又は完全に除去するよう適合させることができる。その結果、接地導体はこれらのエリアで遮蔽フィルムの一方と電気的に接触でき、これによりケーブルの電気的性能を高めることが可能になる。少なくとも一方の遮蔽フィルムと所与の接地導体との間に薄い層の接着剤が残っている場合であっても、接地導体の凹凸が、薄い接着剤薄層を破って通過することがあり、これにより意図したように電気接触を確立し得る。
【００５８】
図４ａ〜４ｃにおいて、代表的な３つの遮蔽電気ケーブルの断面図が示され、これらは、遮蔽電気ケーブル内に接地導体を配置した例である。遮蔽電気ケーブルの一態様では、遮蔽体が適切に接地しており、そのような接地はさまざまな方法で達成可能である。いくつかの場合において、所与の接地導体は、少なくとも一方の遮蔽フィルムに電気的に接触でき、これによって所与の接地導体を接地することによって、遮蔽フィルムを接地させることができる。そのような接地導体は、「ドレイン線」とも呼ばれ得る。遮蔽フィルムと接地導体との間の電気接触は、比較的低いＤＣ抵抗で特徴付けることができ、例えばこのＤＣ抵抗は、１０オーム未満、又は２オーム未満、又は実質的に０オーム未満である。いくつかの場合において、所与の接地導体は、遮蔽フィルムに電気的に接触していないが、任意の好適な終端構成要素の任意の好適な個別接触エレメント（例えば、プリント基板、パドルボード、又はその他のデバイスにおける導電性経路及びその他の接触エレメント）に独立して終端処理されたケーブル構成体内の個々のエレメントであり得る。そのような接地導体は、「接地線」とも呼ばれ得る。図４ａは、接地導体が遮蔽フィルムの外側に配置されている、代表的な遮蔽電気ケーブルを示す。図４ｂ及び４ｃは、接地導体が、遮蔽フィルムの間に配置され、及び導体セット内に含まれ得る実施形態を示す。１つ以上の接地導体は、遮蔽フィルムの外側に、遮蔽フィルムの間に、又は両方の組み合わせで、任意の好適な位置に配置され得る。
【００５９】
図４ａを参照して、遮蔽電気ケーブル４０２ａには、ケーブル４０２ａの長さに沿って延在する単一導体セット４０４ａが含まれる。導体セット４０４ａは２本の絶縁導体４０６、すなわち１ペアの絶縁導体を有する。ケーブル４０２ａは、ケーブルの幅を横切って互いに離間されケーブルの長さに沿って延在する、複数の導体セット４０４ａを有するように製作することができる。ケーブルの対向する側に配置された２枚の遮蔽フィルム４０８ａには、カバー部分４０７ａが含まれる。横断面において、カバー部分４０７ａは、組み合わせることにより、実質的に導体セット４０４ａを包囲する。所望による接着層４１０ａは、遮蔽フィルム４０８ａの挟まれた部分４０９ａの間に配置されて、導体セット４０４ａの両面において、遮蔽フィルム４０８ａを互いに接着している。絶縁導体４０６は、概して単一平面内に配置され、単一終端回路構成又は差動ペア回路構成に使用できる２芯同軸ケーブル構成に効果的に配置することができる。遮蔽電気ケーブル４０２ａは、遮蔽フィルム４０８ａの外側に配置された複数の接地導体４１２を更に含む。接地導体４１２は、導体セット４０４ａの上に、これの下に、又は両面上に配置される。所望により、ケーブル４０２ａは、遮蔽フィルム４０８ａ及び接地導体４１２を包囲する保護フィルム４２０を含む。保護フィルム４２０は、保護層４２１と、保護層４２１を遮蔽フィルム４０８ａ及び接地導体４１２に接着する接着層４２２と、を含む。あるいは、遮蔽フィルム４０８ａ及び接地導体４１２は、例えば導電性ブレイドなどの外側の導電性遮蔽部、及び外側の絶縁ジャケット（図示せず）によって包囲されてもよい。
【００６０】
図４ｂを参照して、遮蔽電気ケーブル４０２ｂには、ケーブル４０２ｂの長さに沿って延在する単一導体セット４０４ｂが含まれる。導体セット４０４ｂは２本の絶縁導体４０６、すなわち絶縁導体の１ペアを有する。ケーブル４０２ｂは、ケーブルの幅を横切ってに互いに離間されケーブルの長さに沿って延在する、複数の導体セット４０４ｂを有するよう製作することができる。２枚の遮蔽フィルム４０８ｂは、ケーブル４０２ｂの対向する側に配置され、カバー部分４０７ｂを含む。横断面において、カバー部分４０７ｂは、組み合わせることにより、実質的に導体セット４０４ｂを包囲する。所望による接着層４１０ｂは、遮蔽フィルム４０８ｂの挟まれた部分４０９ｂの間に配置されて、導体セットの両面において、遮蔽フィルムを互いに接着している。絶縁導体４０６は、概ね単一平面に、かつ２芯同軸又は差動ペアケーブル構成に効果的に配置される。遮蔽電気ケーブル４０２ｂは、遮蔽フィルム４０８ｂ間に配置される複数の接地導体４１２を更に含む。接地導体４１２の２本は、導体セット４０４ｂ内に含まれ、接地導体４１２の２本は、導体セット４０４ｂから離間される。
【００６１】
図４ｃを参照して、遮蔽電気ケーブル４０２ｃには、ケーブル４０２ｃの長さに沿って延在する単一導体セット４０４ｃが含まれる。導体セット４０４ｃは２本の絶縁導体４０６、すなわち１ペアの絶縁導体を有する。ケーブル４０２ｃは、ケーブルの幅を横切って互いに離間されケーブルの長さに沿って延在する複数の導体セット４０４ｃを含むよう製作することができる。２枚の遮蔽フィルム４０８ｃは、ケーブル４０２ｃの対向する側に配置され、カバー部分４０７ｃを含む。横断面において、カバー部分４０７ｃは、組み合わせることにより、実質的に導体セット４０４ｃを包囲する。所望による接着層４１０ｃは、遮蔽フィルム４０８ｃの挟まれた部分４０９ｃの間に配置されて、導体セット４０４ｃの両面において、遮蔽フィルム４０８ｃを互いに接着している。絶縁導体４０６は、概ね単一平面に、かつ２芯同軸又は差動ペアケーブル構成に効果的に配置される。遮蔽電気ケーブル４０２ｃは、遮蔽フィルム４０８ｃ間に配置される複数の接地導体４１２を更に含む。接地導体４１２のすべてが、導体セット４０４ｃ内に含まれる。接地導体４１２の２本、及び絶縁導体４０６は、概ね単一平面に配置される。
【００６２】
本開示の遮蔽付きケーブルは、望ましい場合、１つ以上の導電性ケーブルクリップを用いて、回路基板又はその他の終端構成要素に接続することができる。例えば、遮蔽電気ケーブルには、概して単一平面内に配置された複数の離間して配置された導体セットが含まれ、このそれぞれの導体セットには、ケーブルの長さに沿って延在する２本の絶縁導体が含まれ得る。２枚の遮蔽フィルムを、ケーブルの対向する側に配置することができ、横断面において、導体セットそれぞれを実質的に包囲することができる。ケーブルクリップは、遮蔽フィルムの少なくとも一方を、ケーブルクリップに電気的に接触するようにクランプされるか、ないしは別の方法で、遮蔽電気ケーブルの終端部に取り付けることができる。ケーブルクリップは、例えば、プリント基板の導電性トレース又はその他の接触エレメントの接地参照終端のために構成することができ、これにより遮蔽電気ケーブルと接地参照との間の接地接続を確立できる。ケーブルクリップは、いくつかの例を挙げると、はんだ付け、溶接、圧締め、機械的圧締め、及び接着結合を含む任意の好適な方法を使用して接地基準に終端されてもよい。終端処理時に、ケーブルクリップは、終端ポイントの接触エレメント（例えば、プリント基板上の接触エレメントなど）への、遮蔽電気ケーブルの絶縁導体の導体の終端部の終端処理を促進し得る。遮蔽電気ケーブルには、少なくとも１枚の遮蔽フィルムに加えて、又はこの代わりに、ケーブルクリップに電気的に接触し得るような、本明細書で開示される１本以上の接地導体が含まれ得る。
【００６３】
図５ａ〜５ｃにおいて、遮蔽電気ケーブル製作の代表的方法が図示されている。具体的には、これらの図には、図１に示すものと実質的に同じであり得る遮蔽電気ケーブル製作の代表的な方法が図示されている。図５ａに図示されている工程において、絶縁導体５０６が、例えば押出成型などの任意の好適な方法を用いて形成され、又は他の方法で提供される。絶縁導体５０６は、任意の好適な長さで形成されてもよい。絶縁導体５０６は次いで、そのように提供されてもよく、又は所望の長さに切断されてもよい。接地導体５１２（図５ｃを参照）は、同様な方式で形成され、提供されてもよい。
【００６４】
図５ｂに図示されている工程において、遮蔽フィルム５０８が形成される。任意の好適な方法、例えば連続ワイドウェブプロセスなどを使用して、単一層又は多層ウェブが形成されてもよい。遮蔽フィルム５０８は、任意の好適な長さで形成されてもよい。遮蔽フィルム５０８は次いで、そのように提供されてもよく、又は所望の長さ及び／又は幅に切断されてもよい。遮蔽フィルム５０８は、横断する部分的な折れ目を有するように事前に形成されて、長手方向の可撓性を増加させてもよい。遮蔽フィルムの一方又は両方は順応性接着層５１０を含み得、これは任意の好適な方法（例えば積層又はスパッタリング）を使用して、遮蔽フィルム５０８上に形成され得る。
【００６５】
図５ｃに図示されている工程では、複数の絶縁導体５０６、接地導体５１２、及び遮蔽フィルム５０８が提供される。形成ツール５２４が提供される。形成ツール５２４には、完成した遮蔽電気ケーブルの望ましい断面形状に対応した形状を有する一組の形成ロール５２６ａ、５２６ｂが含まれ、この形成ツールには更に噛み合い部５２８が含まれる。絶縁導体５０６、接地導体５１２、及び遮蔽フィルム５０８が、望ましい遮蔽付きケーブル（例えば本明細書に示され及び／又は記述されている任意のケーブル）の構成に従って配置され、形成ロール５２６ａ、５２６ｂの近くに配置された後、形成ロール５２６ａ、５２６ｂの噛み合い部５２８へと順に送り込まれ、形成ロール５２６ａ、５２６ｂの間に配置される。形成ツール５２４は、導体セット５０４及び接地導体５１２の周囲に遮蔽フィルム５０８を形成し、各導体セット５０４及び接地導体５１２の両面上で、遮蔽フィルム５０８を互いに接着させる。結合を促進するために熱が適用されてもよい。この実施形態では、導体セット５０４及び接地導体５１２の周囲に遮蔽フィルム５０８を形成すること、並びに各導体セット５０４及び接地導体５１２の両面上で遮蔽フィルム５０８を互いに接着することは、単一操作で行われるが、他の実施形態では、これらの工程は別個の操作で行われてもよい。
【００６６】
この後の製造操作において、望ましい場合は、導体セットの間に長手方向の開裂が形成され得る。そのような開裂部は任意の好適な方法、例えばレーザー切断又はパンチング等を使用して、遮蔽付きケーブルに形成できる。別の所望による製造操作において、遮蔽電気ケーブルは、挟まれた領域に沿って長さ方向に複数回折り畳んで束にすることができ、好適な方法を用いてその折り畳んだ束の周囲に外側導電性遮蔽を提供することができる。任意の好適な方法（例えば押出成型）を用いて、外側導電性遮蔽体の周囲に外側ジャケットを提供することもできる。他の実施形態において、外側導電性遮蔽を省略することができ、折り畳んだ遮蔽付きケーブルの周囲に外側ジャケットだけを提供することができる。
【００６７】
図６ａ〜６ｃにおいて、遮蔽電気ケーブルを製作する代表的な方法の詳細が図示されている。特にこれらの図は、１層以上の接着層が、遮蔽フィルムの形成及び接着中に柔軟に形成され得ることを図示している。図６ａに示される工程において、絶縁導体６０６、絶縁導体６０６から離間して配置された接地導体６１２、及び２枚の遮蔽フィルム６０８が提供される。遮蔽フィルム６０８はそれぞれ順応性接着層６１０を含む。図６ｂ〜６ｃに図示される工程において、遮蔽フィルム６０８は、絶縁導体６０６及び接地導体６１２の周辺に形成され、互いに接着される。最初は、図６ｂに示されるように、接着層６１０は、その元の厚さをまだ有している。遮蔽フィルム６０８の形成及び接着が進むとき、その接着層６１０は、遮蔽電気ケーブル６０２（図６ｃ）の所望の機械的性能特性及び電気的性能特性を達成するように適合する。
【００６８】
とりわけ、図６ｃ（11c）に図示されるように、接着層６１０は、絶縁導体６０６及び接地導体６１２の両面上の遮蔽フィルム６０８間で、より薄く適合され、接着層６１０の一部分は、これらのエリアから移動して離れる。更に、接着層６１０は、絶縁導体６０６及び接地導体６１２に直接隣接するエリアにおいてより厚く適合され、絶縁導体６０６及び接地導体６１２に実質的に適合され、接着層６１０の一部分はこれらのエリア内に移動する。更に、接着層６１０は適合され、遮蔽フィルム６０８と接地導体６１２との間で効果的に除去され、その接着層６１０は、接地導体６１２が遮蔽フィルム６０８に電気的に接触するように、これらのエリアから移動して離れる。
【００６９】
図７ａ及び７ｂに示されているのは、代表的な遮蔽電気ケーブルの製造中の、挟まれた領域に関する詳細である。遮蔽電気ケーブル７０２（図７ｂ参照）は、２枚の遮蔽フィルム７０８を使用して製作され、挟まれた領域７１８（図７ｂ参照）を含み、遮蔽フィルム７０８は実質的に平行であり得る。遮蔽フィルム７０８は、非導電性高分子層７０８ｂ、その非導電性高分子層７０８ｂ上に配置される導電性層７０８ａ、及びその導電性層７０８ａ上に配置される停止層７０８ｄを含む。順応性接着層７１０は、停止層７０８ｄ上に配置される。挟まれた領域７１８は、遮蔽フィルム７０８間に配置される長手方向の接地導体７１２を含む。遮蔽フィルムが一緒に接地導体周囲へと押しつけられ、接地導体７１２は、遮蔽フィルム７０８の導電性層７０８ａと間接的な電気接触を形成する。この間接的な電気接触は、導電性層７０８ａ及び接地導体７１２の、停止層７０８ｄによる制御された分離によって可能にされる。いくつかの場合において、停止層７０８ｄは、非導電性高分子層であるか、非導電性高分子層を含み得る。図に示されるように、外圧（図１７ａを参照）が使用されて、導電性層７０８ａを一緒に押圧し、接着層７１０を接地導体７１２の周囲に適合させる（図１７ｂ）。停止層７０８ｄは少なくとも同じ処理条件では適合されないため、接地導体７１２と遮蔽フィルム７０８の導電性層７０８ａとの間の直接電気接触を防ぐが、間接的な電気接触は達成する。停止層７０８ｄの厚さ及び絶縁特性は、低い目標ＤＣ抵抗、すなわち間接タイプの電気接触を達成するよう選択され得る。いくつかの実施形態において、接地導体と遮蔽フィルムとの間の特徴的なＤＣ抵抗は、望ましい間接的電気接触を達成するためには、１０オーム未満、又は５オーム未満であるが、例えば０オームより大である。いくつかの場合において、所与の接地導体と１枚又は２枚の遮蔽フィルムとの間に直接的電気接触を形成することが望ましく、そのような接地導体とそのような遮蔽フィルムとの間のＤＣ抵抗は、実質的に０オームであり得る。
【００７０】
代表的な実施形態において、遮蔽電気ケーブルのカバー領域には、同軸領域と、所与の導体セットの片側又は両側に配置された移行領域とが含まれる。同軸領域にある所与の遮蔽フィルムの位置は、遮蔽フィルムの同軸部分に対して参照され、移行領域にある遮蔽フィルムの位置は、遮蔽フィルムの移行部分に対して参照される。この移行領域は、遮蔽電気ケーブルの高い製造性、並びに歪み及び応力緩和を提供するように構成できる。遮蔽電気ケーブルの長さに沿って実質的に一定の構成（寸法、形状、内容、及び曲率半径などの点を含む）で移行領域を維持することにより、遮蔽電気ケーブルが実質的に均一な電気的特性（例えば、高周波数分離、インピーダンス、スキュー、挿入損失、反射、モード転換、アイオープニング（eye opening）、ジッターなど）を有するようにするのに役立つ。
【００７１】
更に、例えば、導体セットが、概ね単一平面に、かつ効果的に２芯同軸ケーブル（差動ペア回路配置に接続することができる）として、ケーブルの長さに沿って延在する２本の絶縁導体を含む実施形態などの特定の実施形態では、この移行部分を、遮蔽付きの電気ケーブルの長さに沿った実質的に一定の構成で維持することは、導体セットにおける両方の導体にとって、実質的に同じ、理想的な同軸状態からの電磁場の偏差を提供する。よって、遮蔽電気ケーブルの長さに沿ってこの移行部分の構成を注意深く制御することによって、ケーブルの有利な電気的性能及び特性に寄与することができる。図８ａ〜１０は、導体セットの片側又は両側に配置された遮蔽フィルムの移行領域を含む、遮蔽電気ケーブルのさまざまな代表的実施形態を示す。
【００７２】
断面図が図８ａ及び図８ｂに示されている遮蔽電気ケーブル８０２は、ケーブルの長さに沿って延在する単一の導体セット８０４を含む。このケーブル８０２は、ケーブルの幅方向に沿って互いに離間され、ケーブルの長さ方向に沿って延在する、複数の導体セット８０４を含むよう製作することができる。図８ａには１本だけの絶縁導体８０６が示されているが、望ましい場合は、導体セット８０４内に複数の絶縁導体を含めることができる。
【００７３】
ケーブルの挟まれた領域の近くに配置されている導体セットの絶縁導体は、導体セットの末端導体と見なされる。図示されている導体セット８０４は、単一の絶縁導体８０６を有し、また、遮蔽電気ケーブル８０２の挟まれた領域８１８に最も近い位置にあるため末端導体とも見なされる。
【００７４】
第１及び第２の遮蔽フィルム８０８は、ケーブルの対向する側に配置され、カバー部分８０７を含む。横断面において、カバー部分８０７は、実質的に導体セット８０４を包囲する。所望による接着層８１０は、遮蔽フィルム８０８の挟まれた部分８０９の間に配置されて、導体セット８０４の両面において、ケーブル８０２の挟まれた領域８１８で、遮蔽フィルム８０８を互いに接着している。所望による接着層８１０は、遮蔽フィルム８０８のカバー部分８０７の一部又は全体にわたって延在していてよく、例えば、導体セット８０４の片側での遮蔽フィルム８０８の挟まれた部分８０９から、導体セット８０４の反対側での遮蔽フィルム８０８の挟まれた部分８０９までであり得る。
【００７５】
絶縁導体８０６は、単一端回路配置に使用可能な同軸ケーブルとして効果的に配置される。遮蔽フィルム８０８は、導電性層８０８ａ及び非導電性高分子層８０８ｂを含み得る。いくつかの実施形態において、図８ａ及び８ｂに示すように、両方の遮蔽フィルムの導電性層８０８ａが絶縁導体側に向いている。あるいは、本明細書の他の場所で検討されているように、遮蔽フィルム８０８の一方又は両方の導電性層の向きを逆にすることができる。
【００７６】
遮蔽フィルム８０８には、導体セット８０４の末端導体８０６内で実質的に同軸である同軸部分が含まれる。この遮蔽電気ケーブル８０２には、移行領域８３６が含まれる。ケーブル８０２の移行領域８３６における遮蔽フィルム８０８の部分は、遮蔽フィルム８０８の移行部分８３４である。いくつかの実施形態において、遮蔽電気ケーブル８０２には、導体セット８０４の両側に配置された移行領域８３６が含まれ、いくつかの実施形態において、この移行領域８３６は、導体セット８０４の片側のみに配置され得る。
【００７７】
移行領域８３６は、遮蔽フィルム８０８と導体セット８０４によって画定される。移行領域８３６の遮蔽フィルム８０８の移行部分８３４は、遮蔽フィルム８０８の同軸部分８１１と挟まれた部分８０９との間に、漸進的な移行を提供する。例えば直角の移行又は移行ポイント（移行部分なしで）などの急な移行の場合とは違って、漸進的又はスムーズな移行（例えば実質的にＳ字状の移行）は、遮蔽フィルム８０８に、移行部分８３６における歪みと応力の緩和を提供し、遮蔽電気ケーブル８０２が使用中である場合に、例えば遮蔽電気ケーブル８０２を横方向若しくは軸方向に曲げるときに、遮蔽フィルム８０８に対する損傷を防ぐ。この損傷には、例えば導電性層８０８ａにおける破壊、及び／又は導電性層８０８ａと非導電性高分子層８０８ｂとの間の剥離が含まれ得る。更に、漸進的な移行は、遮蔽電気ケーブル８０２の製造における遮蔽フィルム８０８への損傷（導電性層８０８ａ及び／又は非導電性高分子層８０８ｂの亀裂若しくは剪断が含まれ得る）を防ぐ。遮蔽付き電気リボンケーブルの導体セットのうち１つ、いくつか、又は全部の片面又は両面に、本開示の漸進的な移行の使用をすることによって、従来型のケーブル構成（例えば典型的な同軸ケーブルで、ここにおいて遮蔽は、単独の絶縁導体の周囲に、概して連続的に配置される）、又は、典型的な従来型２芯同軸ケーブル（ここにおいて遮蔽は１ペアの絶縁導体の周囲に連続的に配置される）から離脱することを意味する。これらの従来型の遮蔽構成は、モデルの電磁プロファイルを呈し得るが、そのようなプロファイルは、所与の用途において許容できる電気的特性を必ずしも達成してはいない。
【００７８】
本開示の遮蔽電気ケーブルの少なくともいくつかのうち一態様により、許容できる電気的特性は、移行領域の電気的衝撃を低減することによって（例えば、移行領域の寸法を小さくすること、及び／又は遮蔽電気ケーブルの長さに沿って移行領域の形状を注意深く制御することによって）、達成することができる。移行領域の寸法を縮小することは、キャパシタンス偏差を縮小し、複数の導体セット間で必要とされる間隔を最小限にし、これによって、導体セットのピッチを減少させ、及び／又は導体セット間の電気的絶縁を増加させる。遮蔽電気ケーブルの長さに沿った、移行領域の形状の注意深い制御は、予測可能な電気的挙動及び不変性を得ることに寄与し、これは、電気的データがより確実に送信されるように、高速伝送線に提供される。遮蔽電気ケーブルの長さに沿った、移行領域の形状の注意深い制御は、移行部分の寸法が寸法下限に近づく際の因子となる。
【００７９】
検討されることが多い電気的特性は、伝送線の特性インピーダンスである伝送線の長さに沿ったインピーダンスの変動により、電力が標的に伝送されずに、反射してソースに戻される場合がある。理想的には、伝送線は、その長さに沿ってインピーダンスの変動は有しないが、対象用途によって、５〜１０％の変動は許容可能である場合がある。２芯同軸ケーブル（差動駆動）で検討されることが多い別の電気的特性は、それらの長さの少なくとも一部分に沿って、１つのペアの２本の伝送ラインの、スキュー、すなわち同等でない転送速度である。スキューは、差動信号のコモンモード信号への変換を生じさせ、これはソースに反射して戻される場合があり、伝送された信号強度を減少させ、電磁放射線を生じさせ、特定のジッターにおいてビット誤り率を著しく増大させる。理想的には、一対の伝送線はスキューを有さないが、対象用途によって−２５〜−３０ｄＢ未満から、対象の周波数まで（例えば６ＧＨｚ）の差動モードのＳパラメーター（differential S-parameter）ＳＣＤ２１若しくはＳＣＤ１２値（伝送ラインの１つの端部から他方へと、差動モードからコモンモードへの変換を表す）が許容可能であり得る。あるいは、スキューは時間領域で測定され、要求される仕様と比較することができる。対象用途によって、約２０ピコ秒／メートル（ｐｓ／ｍ）未満、好ましくは約１０ｐｓ／ｍ未満が許容可能であり得る。
【００８０】
図８ａ及び８ｂを再び参照し、許容できる電気的特性を達成するのに一部役立つものとして、遮蔽電気ケーブル８０２の移行領域８３６のそれぞれに、断面移行面積８３６ａが含まれ得る。移行面積８３６ａは好ましくは、導体８０６の断面積８０６ａより小さい。図８ｂに示されているように、移行領域８３６の断面移行面積８３６ａは、移行点８３４’及び８３４”で画定される。
【００８１】
遮蔽フィルムが、導体セット８０４の末端絶縁導体８０６に対して実質的に同軸であることからは外れたところで、移行点８３４’が発生する。移行点８３４’は、遮蔽フィルム８０８の曲率の符号が変わる、遮蔽フィルム８０８の変曲点である。例えば、図８ｂを参照して、上側遮蔽フィルム８０８の曲率は、変曲点で下向き凹部から上向き凹部へと移行し、この変曲点は、図ではこの上側の移行点８３４’である。下側遮蔽フィルム８０８の曲率は、変曲点で上向き凹部から下向き凹部へと移行し、この変曲点は、図ではこの下側の移行点８３４’である。遮蔽フィルム８０８の挟まれた部分８０９間の分離が、挟まれた部分８０９の最小分離距離ｄ１を、所定の因子（例えば１．２又は１．５）上回ったとき、その他の移行点８３４”が発生する。
【００８２】
加えて、各移行面積８３６ａには、空隙面積８３６ｂが含まれ得る。導体セット８０４のいずれの側の空隙面積８３６ｂも、実質的に同じであり得る。更に、接着層８１０は、遮蔽フィルム８０８の同軸部分８１１で厚さＴａｃを有し得、遮蔽フィルム８０８の移行部分８３４での厚さは、厚さＴａｃよりも大きい。同様に、接着層８１０は、遮蔽フィルム８０８の挟まれた部分８０９間の厚さＴａｐを有し得、遮蔽フィルム８０８の移行部分８３４での厚さは、厚さＴａｐよりも大きい。接着層８１０は、移行部分断面積８３６ａの少なくとも２５％となり得る。特に厚さＴａｃ又は厚さＴａｐよりも大きい厚い部分での、移行部分面積８３６ａにおける接着層８１０の存在は、移行領域８３６におけるケーブル８０２の強度に貢献する。
【００８３】
遮蔽電気ケーブル８０２のさまざまなエレメントの製造プロセス及び材料特性を綿密に制御することは、移行領域８３６における空隙面積８３６ｂ及び順応性接着層８１０の厚さにおける変動を低減することができ、これは断面移行面積８３６ａのキャパシタンスにおける変動を低減し得る。遮蔽電気ケーブル８０２は、導体８０６の断面積８０６ａと実質的に等しい、又はこれよりも小さい断面移行面積８３６ａを含む、導体セット８０４の一方の側又は両側に配置される移行領域８３６を含み得る。遮蔽電気ケーブル８０２は、導体８０６の長さに沿って実質的に同じである断面移行面積８３６ａを含む、導体セット８０４の一方の側又は両側に配置される移行領域８３６を含み得る。例えば、断面移行面積８３６ａは、１メートルの長さにわたって５０％未満変化し得る。遮蔽電気ケーブル８０２は、それぞれが断面移行面積を含む導体セット８０４の両側に配置される移行領域８３６を含む場合があり、断面積８３４ａの合計は導体８０６の長さに沿って実質的に同じである。例えば、断面積８３４ａの合計は、１ｍの長さにわたって５０％未満変化する場合がある。遮蔽電気ケーブル８０２は、それぞれが断面移行面積８３６ａを含む導体セット８０４の両側に配置される移行領域８３６を含む場合があり、断面移行面積８３６ａは実質的に同じである。遮蔽電気ケーブル８０２は、移行領域８３６が実質的に同一である、導体セット８０４の両側に配置される移行領域８３６を含み得る。絶縁導体８０６は、絶縁厚さＴｉを有し、移行領域８３６は絶縁厚さＴｉより小さい横方向長さＬｔを有し得る。絶縁導体８０６の中央導体は直径Ｄｃを有し、移行領域８３６は、直径Ｄｃより小さい横方向長さＬｔを有し得る。上記のさまざまな構成は、所望の範囲に留まる特性インピーダンス、例えば、ターゲットインピーダンス値の５〜１０％以内（例えば５０オーム）を所望の長さ（例えば１メートル）にわたって提供し得る。
【００８４】
遮蔽電気ケーブル８０２の長さに沿って移行領域８３６の構成に影響を与える要因には、いくつかの例を挙げると、製造プロセス、導電性層８０８ａ及び非導電性高分子層８０８ｂの厚さ、接着層８１０、並びに絶縁導体８０６と遮蔽フィルム８０８との間の接着強度が挙げられる。
【００８５】
一態様において、導体セット８０４、遮蔽フィルム８０８、及び移行領域８３６は協働してインピーダンス制御関係に構成され得る。インピーダンス制御関係とは、導体セット８０４、遮蔽フィルム８０８、及び移行領域８３６が協働して遮蔽電気ケーブルの特性インピーダンスを制御するように構成されることである。
【００８６】
図９において、代表的な遮蔽電気ケーブル９０２の断面図が示されており、これには導体セット（connector set）９０４における２本の絶縁導体が含まれ、絶縁導体９０６は、ケーブル９０２の長さに沿ってそれぞれ延在し個々に絶縁されている。２本の遮蔽フィルム９０８はケーブル９０２の相対する面に配置され、組み合わせて、導体セット９０４を実質的に包含する。所望による接着層９１０は、遮蔽フィルム９０８の挟まれた部分９０９の間に配置されて、ケーブルの挟まれた領域９１８で、導体セット９０４の両面において、遮蔽フィルム９０８を互いに接着している。絶縁導体９０６は、概ね単一平面に、かつ２芯同軸構成に効果的に配置され得る。２芯同軸ケーブル構成は、差動ペア回路構成、又は単一端回路構成に使用することができる。遮蔽フィルム９０８は、導電性層９０８ａ及び非導電性高分子層９０８ｂを含み得あるいは、非導電性高分子層９０８ｂなしで導電性層９０８ａを含み得る。図において、各遮蔽フィルムの導電性層９０８ａは、絶縁導体９０６側を向いて示されているが、別の実施形態において、一方又は両方の遮蔽フィルムが、逆向きになっていてもよい。
【００８７】
遮蔽フィルム９０８の少なくとも一方のカバー部分９０７は、導体セット９０４の対応する末端導体９０６を備えた実質的に同軸である同軸部分９１１を含む。ケーブル９０２の移行領域において、遮蔽フィルム９０８の移行部分９３４は、遮蔽フィルム９０８の同軸部分９１１と挟まれた部分９０９との間である。移行部分９３４は、導体セット９０４の両側に配置され、そのような部分それぞれに、断面移行面積９３４ａが含まれる。断面移行面積９３４ａの合計は好ましくは、導体９０６の長さに沿って実質的に同じである。例えば、断面積９３４ａの合計は、１ｍの長さにわたって５０％未満変化し得る。
【００８８】
加えて、２つの断面移行面積９３４ａは、実質的に同じであり、及び／又は実質的に同一であり得る。移行領域のこの構成は、所与の長さ（例えば１ｍなど）にわたってターゲットインピーダンス値の所望の範囲、例えば５〜１０％以内に両方とも留まる、各導体９０６（単一端）のための特性インピーダンス、及び差動インピーダンスに貢献し得る。更に、移行領域のこの構成は、それらの長さの少なくとも一部分に沿って２本の導体９０６のスキューを最小限にすることができる。
【００８９】
ケーブルが折り畳まれていない平面的形状の場合、遮蔽フィルムそれぞれは、ケーブル９０２の幅にわたって変化する曲率半径によって、横断面において特徴付けることができる。遮蔽フィルム９０８の最大曲率半径は、例えば、ケーブル９０２の挟まれた部分９０９で、又は図９に示す複数導体ケーブルセット９０４のカバー部分９０７の中点近くで、生じ得る。これらの位置において、フィルムは実質的に平坦であり得、曲率半径は実質的に無限大であり得る。遮蔽フィルム９０８の最小曲率半径は例えば、遮蔽フィルム９０８の移行部分９３４で生じ得る。いくつかの実施形態において、ケーブルの幅を横切る遮蔽フィルムの曲率半径は、少なくとも約５０マイクロメートルであり、すなわち曲率半径は、ケーブルの縁部の間で、ケーブルの幅に沿ったどの点でも、５０マイクロメートルより小さい規模を有さない。いくつかの実施形態において、移行部分を含む遮蔽フィルムについて、遮蔽フィルムの移行部分の曲率半径は同様に、少なくとも約５０マイクロメートルである。
【００９０】
折り畳まれていない平面的な形状において、同軸部分と移行部分を含む遮蔽フィルムは、同軸部分の曲率半径Ｒ１、及び／又は移行部分の曲率半径ｒ１によって特徴付けられる。これらのパラメーターは、図９においてケーブル９０２について示されている。代表的な実施形態において、Ｒ１／ｒ１は２〜１５の範囲である。
【００９１】
図１０において、別の代表的な遮蔽電気ケーブル１００２が示されており、これには２本の絶縁導体１００６を有する導体セットが含まれている。この実施形態において、遮蔽フィルム１００８は、非対称的な形状を有し、例えば図９に示すより対称的な実施形態に比べて、移行部分の位置が変化している。図１０において、遮蔽電気ケーブル１００２は、絶縁導体１００６の対称面からわずかにずれた面内にある、遮蔽フィルム１００８の挟まれた部分１００９を有する。わずかなずれにもかかわらず、図１０のケーブル及びさまざまなエレメントは依然として、所与の面に沿って全体に延在し、かつ実質的に平面であると見なすことができる。移行領域１０３６は、他の図示された実施形態に比べて、ある程度ずれた位置及び形状を有する。しかしながら、２つの移行領域１０３６が、絶縁導体１００６に対して実質的に対称的に（例えば、導体１００６間の垂直面に対して）配置されていること、及び、移行領域１０３６の形状が、遮蔽電気ケーブル１００２の長さに沿って綿密に制御されていることを確認することにより、遮蔽電気ケーブル１００２は、依然として許容可能な電気的特性を提供するよう構成することができる。
【００９２】
図１１ａ及び１１ｂにおいて、追加の代表的な遮蔽電気ケーブルが図示されている。これらの図は、ケーブルの挟まれた部分がどのようにして、遮蔽電気ケーブルの導体セットを電気的に分離するよう構成されているかを詳しく説明するのに使用される。導体セットは隣接する導体セットから、電気的に絶縁されてもよく（例えば、隣接する導体セット間のクロストークを最小限にするため）、又は遮蔽電気ケーブルの外部環境から電気的に絶縁されてもよい（例えば、遮蔽電気ケーブルから逃れる電磁放射を最小限にし、外部電源からの電磁干渉を最小限にするため）。両方のケースにおいて、挟まれた部分はさまざまな機械的構造体を含んで、電気的絶縁を実現させることができる。いくつかの例を挙げると、例には、遮蔽フィルムの近接性、遮蔽フィルム間の高誘電率材料、遮蔽フィルムの少なくとも１つと直接的若しくは間接的に電気接触をする接地導体、隣接する導体セット間の物理的破断、長手方向、横断方向のいずれか、又は両方で遮蔽フィルムを互いに直接的に断続的に接触させること、及び導電性接着剤が挙げられる。
【００９３】
図１１ａの断面図で示されているのは、ケーブル１１０２（102）の幅にわたって離間され、ケーブルの長さに沿って長手方向に延在している、２つの導体セット１１０４ａ、１１０４ｂ（104b）を含む遮蔽電気ケーブル１１０２である。各導体セット１１０４ａ、１１０４ｂは、２本の絶縁導体１１０６ａ、１１０６ｂを含む。２枚の遮蔽フィルム１１０８が、ケーブル１１０２の相対する面上に配置される。横断面において、遮蔽フィルム１１０８のカバー部分１１０７は、ケーブル１１０２のカバー領域１１１４において導体セット１１０４ａ、１１０４ｂを実質的に包囲する。ケーブルの挟まれた領域１１１８において、導体セット１１０４ａ、１１０４ｂの両側において、遮蔽フィルム１１０８には挟まれた部分１１０９が含まれる。遮蔽電気ケーブル１１０２において、遮蔽フィルム１１０８の挟まれた部分１１０９と、絶縁導体１１０６とは、ケーブル１１０２が平面及び／又は折り畳まれていない構成であるときに、概して単一面に配置される。導体セット１１０４ａ、１１０４ｂ間に配置される挟まれた部分１１０９は、導体セット１１０４ａ、１１０４ｂを互いに電気的に分離するように構成される。概して平面的な折り畳まれていない構成に配置されるとき、図１１ａに示すように、導体セット１１０４ａ内の第２絶縁導体１１０６ｂに対する導体セット１１０４ａ内の第１絶縁導体１１０６ａの高周波電気的分離は、第２導体セット１１０４ｂに対する第１導体セットの高周波電気的分離よりも実質的に小さい。
【００９４】
図１１ａの断面図に示されているように、ケーブル１１０２は、遮蔽フィルム１１０８のカバー部分１１０７の間には最大離間Ｄがあり、遮蔽フィルム１１０８のカバー部分１１０７の間には最小離間ｄ２があり、遮蔽フィルム１１０８の挟まれた部分１１０９の間には最小離間ｄ１があるものとして特徴付けられる。いくつかの実施形態において、ｄ１／Ｄは０．２５未満、又は０．１未満である。いくつかの実施形態において、ｄ２／Ｄは０．３３より大きい。
【００９５】
所望による接着層は、遮蔽フィルム１１０８の挟まれた領域１１０９の間に示されているように含まれ得る。接着層は、連続していても、又は不連続であってもよい。いくつかの実施形態において、接着層は、ケーブル１１０２のカバー領域１１１４に完全に又は部分的に延在していてよく、例えば、遮蔽フィルム１１０８のカバー部分１１０７と絶縁導体１１０６ａ、１１０６ｂとの間に延在していてよい。所望による接着層は、遮蔽フィルム１１０８のカバー部分１１０７に配置されていてよく、導体セット１１０４ａ、１１０４ｂの片側の遮蔽フィルム１１０８の挟まれた部分１１０９から、導体セット１１０４ａ、１１０４ｂの反対側での遮蔽フィルム１１０８の挟まれた部分１１０９まで、完全に又は部分的に延在していてよい。
【００９６】
遮蔽フィルム１１０８は、ケーブル１１０２の幅を横切る曲率半径Ｒによって、及び／又は、遮蔽フィルムの移行部分１１１２の曲率半径ｒ１によって、及び／又は、遮蔽フィルムの同軸部分１１１１の曲率半径ｒ２によって、特徴付けることができる。
【００９７】
移行領域１１３６において、遮蔽フィルム１１０８の移行部分１１１２は、遮蔽フィルム１１０８の同軸部分１１１１と、遮蔽フィルム１１０８の挟まれた部分１１０９との間に、漸進的移行を提供するよう構成することができる。遮蔽フィルム１１０８の移行部分１１１２は、第１移行点１１２１（これは遮蔽フィルム１１０８の変曲点であり、同軸部分１１１１の終了の目印である）から、第２移行点１１２２まで延在し、遮蔽フィルム間の離間は、挟まれた部分１１０９の最小離間ｄ１を、所定の因子によって上回る。
【００９８】
いくつかの実施形態において、ケーブル１１０２には、ケーブルの幅を横切る少なくとも約５０マイクロメートルである曲率半径Ｒを有し、及び／又は、少なくとも約５０マイクロメートルである遮蔽フィルム１１０２の移行部分１１１２の最小曲率半径ｒ１を有する、少なくとも１枚の遮蔽フィルムが含まれる。いくつかの実施形態において、移行部分の最小曲率半径に対する同軸部分の最小曲率半径の比ｒ２／ｒ１は、２〜１５の範囲である。
【００９９】
図１１ｂの断面図で示されているのは、ケーブルの幅を横切って互いに離間され、ケーブルの長さに沿って長手方向に延在している、２つの導体セット１２０４を含む遮蔽電気ケーブル１２０２である。各導体セット１２０４は、絶縁導体１２０６を１本だけ有し、２枚の遮蔽フィルム１２０８が、ケーブル１２０２の対向する側に配置されている。この横断面において、遮蔽フィルム１２０８のカバー部分１２０７は、組み合わせて、ケーブルのカバー領域１２１４の導体セット１２０４の絶縁導体１２０６を実質的に包囲している。ケーブルの挟まれた領域１２１８において、導体セット１２０４の両側において、遮蔽フィルム１２０８には挟まれた部分１２０９が含まれる。遮蔽電気ケーブル１２０２において、遮蔽フィルム１２０８の挟まれた部分１２０９と、絶縁導体１２０６とは、ケーブル１２０２が平面及び／又は折り畳まれていない構成であるときに、概して単一面に配置され得る。ケーブル１２０２の遮蔽フィルム１２０８及び／又は挟まれた領域１２１８のカバー部分１２０７は、それぞれから導体セット１２０４を電気的に分離するよう構成される。
【０１００】
図に示されているように、ケーブル１２０２は、遮蔽フィルム１２０８のカバー部分１２０７間の最大離間Ｄと、遮蔽フィルム１２０８の挟まれた部分１２０９間の最小離間ｄ１によって特徴付けることができる。代表的な実施形態において、ｄ１／Ｄは０．２５未満、又は０．１未満である。
【０１０１】
所望による接着層は、遮蔽フィルム１２０８の挟まれた領域１２０９の間に示されているように配置され得る。接着層は、連続していても、又は不連続であってもよい。いくつかの実施形態において、接着層は、ケーブルのカバー領域１２１４に完全に又は部分的に延在していてよく、例えば、遮蔽フィルム１２０８のカバー部分１２０７と絶縁導体１２０６との間に延在していてよい。この接着層は、遮蔽フィルム１２０８のカバー部分１２０７に配置されていてよく、導体セット１２０４の片側の遮蔽フィルム１２０８の挟まれた部分１２０９から、導体セット１２０４の反対側での遮蔽フィルム１２０８の挟まれた部分１２０９まで、完全に又は部分的に延在していてよい。
【０１０２】
遮蔽フィルム１２０８は、ケーブル１２０２の幅を横切る曲率半径Ｒによって、及び／又は、遮蔽フィルム１２０８の移行部分１２１２の最小曲率半径ｒ１によって、及び／又は、遮蔽フィルム１２０８の同軸部分１２１１の最小曲率半径ｒ２によって、特徴付けることができる。ケーブル１２０２の移行領域１２３６において、遮蔽フィルム１２０２の移行部分１２１２は、遮蔽フィルム１２０８の同軸部分１２１１と、遮蔽フィルム１２０８の挟まれた部分１２０９との間の漸進的な移行を提供するよう構成することができる。遮蔽フィルム１２０８の移行部分１２１２は、第１移行点１２２１（これは遮蔽フィルム１２０８の変曲点であり、同軸部分１２１１の終了の目印である）から、第２移行点１２２２まで延在し、遮蔽フィルム間の離間は、挟まれた部分１２０９の最小離間ｄ１を、所定の因子によって上回る。
【０１０３】
いくつかの実施形態において、ケーブルの幅を横切る遮蔽フィルムの曲率半径Ｒは少なくとも約５０マイクロメートルであり、及び／又は、遮蔽フィルムの移行部分の最小曲率半径は、少なくとも約５０マイクロメートルである。
【０１０４】
いくつかの場合において、記述されている任意の遮蔽付きケーブルの挟まれた領域は、例えば少なくとも３０°の角度αで横方向に曲げられるよう構成することができる。この挟まれた領域における横方向の柔軟性により、遮蔽ケーブルを任意の好適な形状（例えば、ラウンドケーブルで使用できる形状）に折り畳むことが可能になる。いくつかの場合において、挟まれた領域の横方向の柔軟性は、２枚以上の比較的薄い単独層を含んだ遮蔽フィルムによって可能になる。特に曲げ条件下では、これらの個々の層の一体性を保証するために、それらの間の接着は無傷のままであることが好ましい。挟まれた領域は、例えば約０．１３ｍｍ未満の最小厚さを有し、個々の層の間の接着強度は、プロセス又は使用時の熱曝露後に少なくとも１７．８６ｇ／ｍｍ（１ポンド／インチ）であってよい。
【０１０５】
ケーブルの挟まれた領域が、所与の導体セットの両側でほぼ同じ寸法と形状を有するようにすると、本開示の任意の遮蔽電気ケーブルの電気性能に利益となり得る。任意の寸法変化及び不均衡は、挟まれた領域の長さに沿って、キャパシタンス及びインダクタンスにおける不均衡を作る場合がある。これは次いで、挟まれた領域の長さに沿ったインピーダンスの差、及び隣接する導体セット間のインピーダンス不均衡を生じさせる場合がある。これらの理由に関して少なくとも、遮蔽フィルム間の間隔の制御が望ましい場合がある。いくつかの場合において、ケーブルの挟まれた領域における遮蔽フィルムの挟まれた部分（導体セットのそれぞれの側で）は、約０．０５ｍｍ以下、互いに分離されていてよい。
【０１０６】
図１２において、従来型電気ケーブルの２つの隣接する導体セット間の遠端クロストーク（ＦＥＸＴ）分離（導体セットは完全に分離されている、すなわち共通接地がない（サンプル１））と、及び、図１１ａに図示されている遮蔽電気ケーブル１１０２の２つの隣接する導体セット間の遠端クロストーク（ＦＥＸＴ）分離（遮蔽フィルム１１０８が約０．０２５ｍｍ離間される（サンプル２））とが示されており、ここで両方とも、約３ｍのケーブル長さを有する。このデータを作成するテスト方法は当該技術において周知である。データはＡｇｉｌｅｎｔ８７２０ＥＳ ５０ＭＨｚ〜２０ＧＨｚ Ｓ−ＰａｒａｍｅｔｅｒＮｅｔｗｏｒｋ Ａｎａｌｙｚｅｒを使用して生成された。遠端クロストークプロットを比較することによって、従来の電気ケーブル及び遮蔽電気ケーブル１１０２が同様な遠端クロストーク性能を提供するということが分かる。とりわけ、約−３５ｄＢ未満の遠端クロストークが大半の用途に好適であるということが一般に認められている。試験された構成に関して、従来の電気ケーブル及び遮蔽電気ケーブル１１０２の両方が満足のいく電気的絶縁性能を提供するということが図１２から容易に分かる。遮蔽フィルムを離間する能力による、挟まれた部分の増加した強度と組み合わせて、この満足のいく電気的絶縁性能は、従来の電気ケーブルをしのぐ、本開示の遮蔽電気ケーブルのうち少なくとも一部の利点である。
【０１０７】
上述の代表的な実施形態において、遮蔽電気ケーブルには、ケーブルの対向する側に配置された２枚の遮蔽フィルムが含まれ、これにより、横断面において、遮蔽フィルムのカバー部分は、組み合わせて、所与の導体セットを実質的に包囲し、離間した導体セットを個別に包囲する。しかしながらいくつかの実施形態において、遮蔽電気ケーブルは、唯一の遮蔽フィルムを含んでよく、これはケーブルの片側のみに配置される。２枚の遮蔽フィルムを有する遮蔽付きケーブルに比べて、遮蔽付きケーブルに単一の遮蔽フィルムのみを含める利点としては、材料のコストの低下、及び機械的柔軟性の増大、製造可能性の増大、並びにストリッピングと終末処理の容易さが挙げられる。単一の遮蔽フィルムは、所与の用途において、許容可能なレベルの電磁干渉（ＥＭＩ）分離をもたらすことができ、かつ近接効果を低減することができ、これによって信号減衰を減少させる。図１３は、遮蔽フィルム１枚のみを含むそのような遮蔽電気ケーブルの一例を示す。
【０１０８】
図１３において、遮蔽フィルム１３０８を１枚のみ有する遮蔽電気ケーブル１３０２が図示されている。絶縁導体１３０６は、２つの導体セット１３０４内に配置され、それぞれが絶縁導体１ペアのみを有する。ただし、本明細書で議論されているように、他の数の絶縁導体を有する導体セットも想到される。遮蔽電気ケーブル１３０２は、さまざまな代表的ロケーションにおいて、接地導体１３１２を含んで示されているが、これらの任意のもの又はすべてが、望むならば削除することができ、また、追加の接地導体を含めることもできる。接地導体１３１２は、導体セット１３０４の絶縁導体１３０６と実質的に同じ方向に延在し、遮蔽フィルム１３０８と、遮蔽フィルムとしては機能しないキャリアフィルム１３４６との間に配置される。１本の接地導体１３１２は、遮蔽フィルム１３０８の挟まれた部分１３０９に含まれ、３本の接地導体１３１２は、導体セット１３０４のうちいずれか１つに含まれる。これら３本の接地導体１３１２のうち１本は、絶縁導体１３０６と遮蔽フィルム１３０８との間に配置され、３本の接地導体１３１２のうち２本は、導体セットの絶縁導体１３０６と共に概して同一平面上にあるよう配置される。
【０１０９】
信号線、ドレイン線、接地線に加えて、本開示のケーブルの任意のものに、１つ又は複数の線を加えることもでき、これらは、ユーザーによって定義された任意の目的のために、通常、絶縁されている。これらの追加線は、例えば電力伝送又は低速通信（例えば１若しくは０．５Ｇｂｐｓ未満、又は１若しくは０．５ＧＨｚ未満、又は１ＭＨｚ未満の場合）のために適切である可能性があるが、（例えば１Ｇｐｂｓ又は１ＧＨｚより速い）高速通信用ではなく、これらの追加線は、側波帯として総じて参照することができる。側波帯は、電力信号、参照信号、及びその他の関心のある信号を伝送して使用することができる。側波帯内の線は典型的に、直接的にも間接的にも互いに電気接触しないが、少なくとも一部の場合で、互いに遮蔽されていないことがある。側波帯には、例えば２本以上、又は３本以上、又は５本以上の線数を含めることができる。
【０１１０】
セクション２：遮蔽電気ケーブルの曲げ特性
上述の本開示のケーブル構成において、遮蔽はラップ構造ではないが、絶縁線の外側に２層で配置されたものである。この遮蔽構造は、らせん状にラップされた構造に害を与える共鳴を除去することができ、またらせん状にラップされた構造よりも剛性が低い曲げ性質を呈することがあり、かつ、急角度の曲げの後に、電気的性能の優れた保持力を有している。これらの特性は、特に、重ね合わせたフィルム及び追加でラップを重ねたフィルムではなく、単プライの薄い遮蔽フィルムの使用によって実現される。この構成体の利点の１つは、例えばサーバ、ルータ、その他閉鎖されたコンピュータシステムなどの中の制約されたスペース内にケーブルをより効果的に配線するため、ケーブルを急角度で曲げることができることである。
【０１１１】
ここで図１４を参照して、例示の実施形態による、遮蔽付き高速の電気リボンケーブル１４０２の用途が、斜視図で示されている。ケーブル１４０２には、図１、２ａ〜ｆ、及び４ａ〜ｃ、８ａ〜ｂ、９、１０、１１ａ〜ｂ、及び１３に示されている特徴の任意の組み合わせが含まれ得るが、少なくとも図２ｂに示されている機能を含む。リボンケーブル１４０２は、シャーシ１４０４又は他の物品内に信号を伝送するのに使用される。多くの場合において、ケーブル１４０２をシャーシ１４０４の側面に沿って配線するのが望ましい。例えば、そのような経路では、冷却空気がシャーシ１４０４内をより自由に流れることが可能になり、メンテナンスのアクセスが容易になり、コンポーネントの間隔を蜜にすることができ、概観を改善することができる等が挙げられる。したがって、ケーブル１４０２は、例えば１４０６及び１４０８のような角の曲げなど、急角度の曲げを行う必要が生じる場合があり、これによりシャーシ１４０４及び／又はその中に収納されるコンポーネントの構造的特性にぴったり沿うことができる。これらの曲げ１４０６、１４０８は、直角（９０°）の曲げとして示されているが、一部の用途ではケーブルは、より急角度又はより緩い角度で曲げてもよい。
【０１１２】
別の用途において、ほぼ１８０°の曲げ１４１０を使用して、実質的に平面のスペースでケーブル１４０２が転回を行うことを可能にできる。そのような場合において、ケーブル１４０２は、ケーブルの長手方向縁部に対して垂直角度である折り目に沿って折られる。図示の折り目１４１０において、折り目は縁部等に対して約４５°であり、ケーブル１４０２が９０°転回している。他の折り角度を使用して、必要に応じて他の転回角度を形成することができる。全般にケーブル１４０２は、平面的表面（例えば、シャーシ１４０４の側面）に平らに付着される折り目１４１０の前後にある近接領域１４１２、１４１４に対して所与の転回角度となるよう構成することができ、又は、表面に付着されることなしに、平面に対して同様に形成され得る。
【０１１３】
ケーブル１４０２を図示のように形成するために、曲げ１４０６、１４０８及び折り目１４１０の内径は、比較的小さい必要があり得る。図１５及び１６の側面図では、例示的な実施例に従って、ケーブル１４０２の曲げ／折りが示されている。図１５においては９０°曲げが示され、図１６においては１８０°曲げが示されている。両方の場合において、内側曲げ半径１５０２は、ケーブルの柔軟性を判定し、かつそのような曲げが性能にどのように影響し得るかを判定する際に、制限因子となり得る。曲げ半径１５０２は、中心線１５０４に対して測定することができ、これはケーブル１４０２の折り目１５０６に平行でありこれからずれている。線１５０４及び１５０６の両方とも、この例においてページに対して直交して突出するが、９０°ではない折り目角度については別の角度で突出する。
【０１１４】
本明細書に記述されている、アメリカンワイヤーゲージ（ＡＷＧ）でワイヤー直径が２４（０．５１１ｍｍ）以下の導体を備えた構成体のケーブルについて、内側半径１５０２は、電気的性能（例えば特性インピーダンス、スキュー、減衰損失、挿入損失など）に顕著な影響をもたらすことなく、５ｍｍ〜１ｍｍの範囲（場合によってはこれより低い値）であり得る。他に記述のない限り、ＡＷＧに関して表現される絶縁導体の直径は、カバーリング絶縁の直径ではなく、絶縁導体のワイヤー部分を参照することを意図している。
【０１１５】
表１は、２４ＡＷＧ（０．５１１ｍｍ）以下のワイヤー直径を有する生産ケーブルのこれらの特性について、見込まれている一部の最大偏差を示す。これらの特性は、伝導度の差動ペア用に測定される。ケーブルは、表１に例示したものよりも、良い性能を呈することがあり得るが、これらの値は、製造及び／又は配備環境における性能を見積もるためにシステムデザイナーが使用できる、少なくとも保守的なベースラインを提示し得るものであり、かつ依然として、同様の環境において一般的に使用されているラップされたｔｗｉｎａｘケーブルに比較して、顕著な改善を示し得る。
【表１】
2018200882.tif 000003
【０１１６】
概して、本明細書で検討されている実施形態によるリボンケーブルは、高速データ伝送用に設計された従来型の（例えばラップされた）ｔｗｉｎａｘケーブルよりも、柔軟性が高い可能性がある。この柔軟性は、所与の導体／ワイヤー直径の最小曲げ半径１５０２の定義、ケーブルをたわませるのに必要な力の量の定義、及び／又は所与の曲げパラメータセットに関する電気的特性への影響を含む、数多くの方法で測定され得る。これら及び他の特性は、下記に詳しく記述される。
【０１１７】
ここで図１７を参照して、ブロック図には、例示的実施形態によるケーブル１４０２の力対たわみを測定するための試験セットアップ１７００が示されている。このセットアップにおいて、ケーブル１４０２は最初に、点線で示されたローラータイプの支持１７０２に交差して平らに置かれている。この支持１７０２は下向きの動きを阻害するが、それ以外は左右方向にケーブルが自由に動くことができる。これは、例えば一方の端にヒンジ接続され、もう一方の端がローラー接続されている（ただしケーブルの場合には、ヒンジが提供し得る左右方向の拘束は必要ない）ような、単純支持梁の拘束を模したものであり得る。
【０１１８】
この試験セットアップの支持１７０２には、直径２．０インチ（５．０８ｃｍ）の円柱が含まれ、この円柱の上側面（図１７に示されているように、横から見たときに１２時の方向）の間が５．０インチ（１２．７ｃｍ）の一定距離１７０４、離れている。支持１７０４の間の等距離点で、力作動装置１７１０を介して力１７０６がケーブル１４０２に適用され、たわみ１７０８が測定される。力作動装置１７１０は、直径０．３７５インチ（０．９５ｃｍ）の円柱であり、クロスヘッド速度が毎分５．０インチ（０．００２ｍ／ｓ）で駆動される。
【０１１９】
実施形態によるケーブルについて、セットアップ１７００を使用した第１試験の結果を、図１８のグラフ１８００に示す。曲線１８０２は、２本のソリッド３０ＡＷＧ（０．２５５ｍｍ）導体、ソリッドのポリオレフィン絶縁、及び２本の３２ＡＷＧ（０．２０２ｍｍ）ドレイン線を備えたリボンケーブル（例えば図２ｃの構成１０２ｃに類似のもの）についての力−たわみの結果を示す。最大力は約０．０２５ｌｂｆ（０．１１１Ｎ）であり、これはたわみが約１．２インチ（３．０５ｃｍ）で起こっている。大まかな比較のため、２本の３０ＡＷＧ（０．２５５ｍｍ）線及び２本の３０ＡＷＧ（０．２５５ｍｍ）ドレイン線を有するラップされたｔｗｉｎａｘケーブルについて、曲線１８０４が測定された。この曲線は、１．２インチ（３．０５ｃｍ）のたわみで最大力約０．０４８ｌｂｓを有する。他の条件が同じなら、ｔｗｉｎａｘケーブルは、使用されているドレイン線がより太い（３０ＡＷＧ（０．２５５ｍｍ）対３２ＡＷＧ（０．２０２ｍｍ））ために、わずかに剛性が高いことが予測されるが、曲線１８０２と１８０４との間の有意差を完全に説明するものとはならない。概して、支持点間の中間点で曲線１８０２によって表わされるケーブル上の０．０３ｌｂｆ（０．１３Ｎ）の力の適用は、少なくとも１インチ（２．５４ｃｍ）での力の方向にたわみをもたらすと期待される。曲線１８０４で表わされるケーブルは、同じ０．０３ｌｂｆ（０．１３Ｎ）の力に対して、その約半分のたわみを呈することが明らかである。
【０１２０】
図１９のグラフ１９００は、図１７の力−たわみセットアップを使用して、例示的実施形態によるケーブルの以降の試験結果を示す。４種のワイヤーゲージ（２４、２６、３０、及び３２ＡＷＧ（０．５１１ｍｍ、０．４０５ｍｍ、０．２５５ｍｍ及び０．２０２ｍｍ））のそれぞれについて、それぞれのゲージのソリッドワイヤー導体２本を有する４本のケーブルの試験を行った。ケーブルには、導体上にポリプロピレン絶縁があり、ケーブルの両面に遮蔽フィルムがあり、ドレイン線は含まれなかった。たわみ０．２インチ（０．５１ｃｍ）ごとに力が測定された。下記の表２は、最大力点１９０２、１９０４、１９０６、１９０８での結果をまとめたものである。これらは、それぞれのワイヤーゲージサイズ２４、２６、３０、及び３２ＡＷＧ（０．５１１ｍｍ、０．４０５ｍｍ、０．２５５ｍｍ及び０．２０２ｍｍ）のケーブルセットの結果に対応している。表２の第５列及び第６列は、各ゲージグループ内で試験された４種のケーブルの最大値の、それぞれ最高値及び最低値に対応している。
【表２】
2018200882.tif 000004
【０１２１】
表２のデータについて、最大たわみ力の対数に対するワイヤー直径の対数について、ｙ＝ｍｘ＋ｂの形式の線形回帰を実行することが可能である。図２０のグラフ２０００で、表２の第３列における力の自然対数（ｌｎ）が、対応する直径の自然対数に対してプロットされている。２４、２６、３０、及び３２ＡＷＧ（０．５１１ｍｍ、０．４０５ｍｍ、０．２５５ｍｍ及び０．２０２ｍｍ）のワイヤー直径はそれぞれ０．０２０１、０．０１５９、０．０１０、及び０．００８である。グラフ２０００の曲線の最小二乗法線形回帰により、次の式の曲線フィットが得られた：ｌｎ（Ｆｍａｘ）＝２．９６＊ｌｎ（ｄｉａ）＋１０．０。Ｆｍａｘを解き、有効数字２桁に四捨五入することにより、次の経験的結果が得られた：
Ｆｍａｘ＝Ｍ＊ｄｉａ３、式中、Ｍ＝２２，０００ｌｂｆ／ｉｎ３［１］
【０１２２】
式［１］により、２本の２８ＡＷＧ（０．３２１ｍｍ）導体（直径＝０．０１２６）を用いて製作された同様のケーブルが、最大力２２，０００＊０．０１２６３＝０．０４４ｌｂｆ又は０．１９６Ｎで曲がるであろうことが推定される。そのような結果は、図１９に示すその他のゲージについての結果を見ても、妥当である。更に、式［１］は、次のように単独絶縁導体についての個々の最大力（Ｆｍａｘ−ｓｉｎｇｌｅ）を表わすため、次のように改変される：
Ｆｍａｘ−ｓｉｎｇｌｅ＝Ｍ＊ｄｉａ３、式中Ｍ＝１１，０００ｌｂｆ／ｉｎ３［２］
【０１２３】
各絶縁導体（及びドレイン線又はその他の非絶縁導体）について、［２］から計算された個々の力を足し合わせて、所与のケーブルの全体の最大曲げ力を得ることができる。例えば、２本の３０ＡＷＧ（０．２５５ｍｍ）及び２本の３２ＡＷＧ（０．２０２ｍｍ）ワイヤーの組み合わせは、最大曲げ抵抗力が０．０２６１＋０．０１４＝０．０３０１ｌｂｆ又は０．１３４Ｎとなることが予測され得る。これは、３０ＡＷＧ（０．２５５ｍｍ）絶縁線及び３２ＡＷＧ（０．２０２ｍｍ）ドレイン線の組み合わせを有した試験ケーブルについて図１８の曲線１８０２に見られる値０．０２５ｌｂｆ（０．１１１Ｎ）よりも高い。しかしながら、そのような差は予測され得る。試験ケーブルのドレイン線は絶縁されていないため、理論事例よりも試験ケーブルのほうがより柔軟になる。概して、式［１］及び［２］の結果は、曲げ力の上限値を返すと期待され、これも、従来型のラップされたケーブルよりも依然柔軟であり得る。比較のため、４本の３０ＡＷＧ（０．２５５ｍｍ）ワイヤーについて式［２］を使用し、最大力は４＊１１，０００＊０．０１＝０．０４４ｌｂｆ又は０．１９６Ｎとなる。これは図１８の従来型のラップされたケーブルの試験曲線１８０４に見られる値よりも低い。ラップされたケーブル内のドレイン線が絶縁されている場合（この試験では違っていたが）、曲線１８０４は、更に高い最大力を呈することが予測される。
【０１２４】
数多くの他の要因も式［１］及び［２］によって予測される結果を変える可能性があり、これには、ワイヤー絶縁のタイプ（ポリエチレン及び発泡絶縁は剛性が低い傾向があり、フルオロポリマー絶縁は剛性が高くなる傾向がある）、ワイヤーのタイプ（標準ワイヤーは剛性が低い傾向がある）などが挙げられる。それにもかかわらず、式［１］及び［２］は、所与のケーブルアセンブリについて最大曲げ力の妥当な見積りを提供することができ、同等のラップされた構造よりも顕著に柔軟性が高い特性を呈するようなリボンケーブル構成体を提示し得る。
【０１２５】
また、これらのケーブルについて所望されるのは、ケーブル１４０２が、ケーブルの電気的特性（例えばインピーダンス、クロストーク）に顕著な影響を与えることなく、曲げ／折り畳み（図１５及び１６を参照）できるような、半径１５０６の最小寸法である。これらの特性は、局所的に、及び／又はケーブル全体にわたって測定することができる。ここで図２１を参照し、グラフ２１００は、例示的実施形態によるケーブルの曲げ性能を示す。グラフ２１００は、立ち上がり時間３５ｐｓの時間領域反射率計（ＴＤＲ）を用いて測定された代表的なケーブルの特徴的なインピーダンス測定を表わす。エリア２１０２は、図２ｃに示すケーブル構成体１０２ｃに類似の構成を備えた１００オーム、ソリッド導体、差動ペア、３０ＡＷＧ（０．２５５ｍｍ）のリボンケーブルについて、差動インピーダンス測定値の包絡面を示す。ケーブルのインピーダンスは、１．０ｍｍ曲げ半径で１８０°角度でケーブルを１回曲げたときの、初回、曲げを延ばした状態、再度曲げた状態で測定された。曲げ−ケーブルインピーダンス測定は、ケーブルを同じ角度及び半径で１０回曲げた後に再び行われた。縦の点線で示される時間領域２１０４は、この曲げに概して隣接する位置に対応する。
【０１２６】
包絡面２１０２は、上述の試験すべてにおける測定されたインピーダンス曲線の極値の輪郭を示す。この包絡面２１０２には、曲げによるインピーダンス変動／不連続性２１０６が含まれる。変動２１０６は、約０．５オームと見積もられる（この場所２１０４での曲げていない構成体において、ピークインピーダンス９５．９オーム対公称９６．４オーム）。この変動２１０６は、初回の曲げの後に見られるが、１０回曲げた後では見られず、包絡面２１０２の有意な偏差は観察されなかった。比較のため、包絡面２１０８で表わされる同様の試験が、従来型のらせん状にラップされた３０ＡＷＧ（０．２５５ｍｍ）ｔｗｉｎａｘケーブルで実施された。この測定値２１０８は、約１．６オームの局所的なインピーダンス変動２１１０を示している。変動２１１０は、変動２１０６より度合いが大きいだけでなく、時間幅も大きいため、ケーブルのより広い領域に影響を与える。この偏差２１１０はまた、従来型ケーブルの初回曲げと１０回目の曲げの測定の両方に見られる。
【０１２７】
同様のインピーダンス測定セットが、図２ｃに示すケーブル構成体１０２ｃに類似の構成で、ただしドレイン線１１２ｃなしで、ソリッドの２６ＡＷＧ（０．４０５ｍｍ）及び２４ＡＷＧ（０．５１１ｍｍ）１００オームケーブル用に行われた。２６ＡＷＧ（０．４０５ｍｍ）及び２４ＡＷＧ（０．５１１ｍｍ）ケーブルは、１．０ｍｍ曲げ半径で１８０°に曲げた。結果として得られた平均変動は、２６ＡＷＧ（０．４０５ｍｍ）ケーブルでは０．７１オーム、２４ＡＷＧ（０．５１１ｍｍ）ケーブルでは２．４オームであった。更に、２４ＡＷＧ（０．５１１ｍｍ）を２．０ｍｍ半径で１８０°曲げると、平均変動は１．７オームであった。よって、この構成体のケーブルは、２４ＡＷＧ（０．５１１ｍｍ）以下の導体線直径が２．０ｍｍ近くで、２オーム以下の固有インピーダンス変動（又は１００オーム公称インピーダンスの２％）を呈するはずである。更に、この構成体のケーブルは、２６ＡＷＧ（０．４０５ｍｍ）以下の導体線直径が１．０ｍｍ近くで、１オーム以下の特性インピーダンス変動（又は１００オーム公称インピーダンスの２％）を呈するはずである。
【０１２８】
グラフ２１００に示されている測定値は、公称１００オームの特性インピーダンスを有するケーブルの差動インピーダンス測定であるが、偏差／不連続性２１０６は、他のケーブルインピーダンス及び測定技法について線形的に縮尺されると予測される。例えば、５０オームの単一端インピーダンス測定（例えば差動ペアの一方のワイヤーだけを測定）では、２４ＡＷＧ（０．５１１ｍｍ）以下の直径の導体ワイヤーの曲げ近くで、変動が２％（１オーム）以下であることが予測され、２６ＡＷＧ（０．４０５ｍｍ）以下の直径の導体ワイヤーでは、変動が１％（０．５オーム）以下であることが予測される。例えば７５オーム特性差動インピーダンス対１００オームなど、異なる公称値について、同様の縮尺が観察され得る。
【０１２９】
ラップされたケーブルの特性２１０８に比べ、代表的なリボンケーブルのインピーダンス特性２１０２における改善の理由として１つ挙げられるのは、ラップされたケーブルにおいてその外側層がいかにして形成されるかである。ラップされた構成体（例えば個々の層が重なり合い、より多くの層の被覆が生じる）があると、ラップの剛性が増大する傾向がある。これは、単層を有するリボンケーブルよりも、曲げの局所部分においてケーブルの挟まれや「詰まり」を起こしやすい。よって、他の条件が同じなら、リボンケーブルは、従来型ケーブルよりも、インピーダンスに対する影響を少なく抑えて、より急角度で曲げることができる。これらのインピーダンス不連続性の影響は同じケーブル内で蓄積されるため、リボンケーブルは、従来型のラップされたケーブルに比べ、より多くの数の曲げを含めることができ、許容できる機能を依然として維持することができる。この改善された曲げ性能は、導体セットが単独（別個）であっても、また他の導体セットと共にリボンケーブル内にある場合でも、存在し得る。
【０１３０】
リボンケーブルタイプ構成体の利点の中で、ケーブル終端処理に関わる労力とコストの低減が特に挙げられる。高速接続のために選ばれるコネクターの１つが、プリント基板（ＰＣＢ）スタイルの「パドルカード」であり、これは基板の片側又は両側にあるスタンプされた接触に接続する。このタイプの終端処理を促進するため、リボンケーブルの接地面は、コアから容易にストリッピング可能なように製作することができ、またコアはワイヤーから容易にストリッピング可能なように製作することができる。レーザー、工具、及び機械的切断を採用して、このプロセスを繰り返し可能かつ迅速にすることができる。
【０１３１】
ケーブルの接地面に対するＰＣＢの接続は、導電性接着剤、導電性テープ、ハンダ付け、ろう付け、超音波、機械的クランピング等の、任意の数の方法によって達成することができる。同様に、ＰＣＢに対する導体の接続は、ハンダ付け、ろう付け、超音波、及びその他のプロセスを使用して達成することができ、最も効率良くすべてを一括で行うことができる（ギャングボンディング）。これらの構成の多くにおいて、ＰＣＢは両面にワイヤー接続があるため、その１本又は２本をリボンケーブルが使用でき（各面につき１本）、ケーブル内で互いに積み重ねることができる。
【０１３２】
リボンケーブルを使ってパドルカード終端処理を行う際に見られる時間節約に加え、終端部位において、インピーダンス不連続性又はスキューの程度及び長さを低減させることができる。ケーブル終端処理に使用されるアプローチの１つは、インピーダンス制御されていない終端での導体の長さを制限することである。これは、コネクターとほぼ同じ形式の接続にワイヤーを合わせることで達成でき、これには、ＰＣＢのパッドでのトレースの線形配列が含まれ得る。ケーブルのピッチは、ＰＣＢのピッチに一致させることができるため、これにより、ピッチの合わないケーブルに必要となるような、不均一で長い露出ワイヤーをなくすことができる。また、このピッチは基板ピッチに合わせて製作できるため、ケーブルからコネクターに伸びる放置された余分なワイヤー長さを最小限に抑えることができる。
【０１３３】
終端処理に関して呈し得る、本明細書に記述されているケーブルのもう１つの利点は、そのようなケーブルの折り畳み部分を、コネクター内に収容できるということである。これは、安価なアングルコネクターの形成を容易に促進できる。例示的実施形態によるコネクターのさまざまな例を、図２２〜２７に示す。図２２は、コネクターアセンブリ２２００が、前述の遮蔽付きリボンケーブル構成体１４０２の２層のケーブルを終端処理している。ケーブル１４０２の一部又はすべての導体が、上と下の終端エリア２２０４、２２０６で、パドルカードに電気的に連結されている。ケーブル１４０２には、パドルカードに対して直角なケーブル１４０２配線を促進する、領域２２０８での曲げが含まれている。成形物２２１０は、少なくとも曲げ領域２２０８を包含し、パドルカード２２０２の少なくとも一部分（例えば終端エリア２２０４、２２０６の近く）を包含し得る。
【０１３４】
図２３では、コネクターアセンブリ２３００は、２２００に類似の構成要素を含み得るが、ただし単一の遮蔽付きリボンケーブル１４０２が使用されている。アセンブリ２３００は、同様の成形物２２１０を含み得、この例では曲げ領域２３０２及び終端エリア２２０４を包含している。図２４及び２５は、２３００及び１４００に類似のコネクターアセンブリ２４００及び２５００をそれぞれ含み、ただし、対応する成形物２４０２は、約４５°の曲げを有する曲げ領域２４０４、２５０２を包含している。
【０１３５】
コネクター２２００、２３００、２４００、２５００はすべて、終端コネクターとして（例えば、ケーブルアセンブリの終端に配置するものとして）図示されている。いくつかの状況において、コネクターはケーブルアセンブリの中間部分にあることが望ましいことがあり、これには、アセンブリを構成する１本以上のケーブル１４０２の任意の非終端部分が含まれ得る。中間部分コネクター２６００及び２７００の実施例を、図２６及び２７に示す。図２６において、対応するケーブル１４０２の一部分が、リボンから分岐して、曲げエリア２６０２で曲がり、終端エリア２２０４、２２０６で終端処理され得る。成形物２６０４は、少なくとも曲げエリア２６０２を包含し、また出口領域２６０６（例えばストレインリリーフのため）も含み、リボンケーブル１４０２の曲げられていない部分がそのまま伸びる。ケーブル２７００は、ケーブル２６００と同様であり、ただしリボンケーブル１４０２の一方が、領域２７０２で曲げられ、全体がエリア２２０４で終端処理されている。もう一方のケーブル１４０２は、曲げも終端処理も行われず、領域２６０６から出る。
【０１３６】
当業者には、図２２〜２７に示される特徴が、実例目的のために提供されているものであり、制限目的ではないことが理解されよう。こまた、図２２〜２７に開示されているさまざまな特徴を組み合わせた数多くのバリエーションが存在し得ることも理解されよう。例えば、領域２２０８、２３０２、２４０４、及び２５０２における曲げは、ケーブル１４０２及び同等物について本明細書で記述された任意の角度及び曲げ半径であってよい。別の例において、図解されているコネクター２２００、２３００、２４００、２５００、２６００、及び２７００はすべてパドルカード２２０６を使用して示されているが、これらの実施形態の発明範囲から逸脱することなく、他の終端構造（例えばクリンプピン／ソケット、絶縁変位接続、はんだカップなど）を同様の目的で使用することができる。更に別の実施例において、コネクター２２００、２３００、２４００、２５００、２６００、及び２７００は、成形物の代わりに別の筐体／カバーを使用することができ、例えばマルチピース、機械的に取り付けられたハウジング、シュリンクラップ構造、固着／接着剤取り付けの被覆などが使用できる。
【０１３７】
例示的実施形態の前述の説明は、例証及び説明の目的で提示されてきた。説明文は網羅的なものでもなく、開示された厳密な形態に本発明を限定するものでもない。以上の教示を考慮すれば、多くの修正形態及び変形形態が可能である。本発明の範囲は、この詳細な説明によって限定されるのではなく、むしろ本明細書に添付された特許請求の範囲によって限定されことが意図されている。
【０１３８】
以下の項目は、本発明の態様による遮蔽電気ケーブルの代表的な実施形態である。
【０１３９】
項目１は、遮蔽電気ケーブルであって、遮蔽電気ケーブルが、ケーブルの長さに沿って延在し、ケーブルの幅に沿って互いに間隔を置いて配置されている複数の導体セットであって、各導体セットに１つ以上の絶縁導体が含まれている、複数の導体セットと、ケーブルの対向する側に配置されている第１及び第２遮蔽フィルムであって、第１及び第２フィルムには、カバー部分及び挟まれた部分が含まれ、これらは横断面において、第１及び第２フィルムのカバー部分が一緒に各前記導体セットを実質的に包囲し、かつ、第１及び第２フィルムの挟まれた部分が一緒に各導体セットのそれぞれの側でケーブルの挟まれた部分を形成するように配置されている、第１及び第２遮蔽フィルムと、ケーブルの前記挟まれた部分で、第１遮蔽フィルムを第２遮蔽フィルムに接着する第１接着層と、を含み、複数の導体セットは、隣り合う第１及び第２の絶縁導体を含み、かつ第１及び第２遮蔽フィルムの対応する第１カバー部分と、第１及び第２遮蔽フィルムの対応する第１挟まれた部分とを有し、これらが第１導体セットの一方の側に第１挟まれたケーブル部分を形成する、第１の導体セットを含み、この絶縁導体のうち選択された１本が、２４ＡＷＧ（アメリカンワイヤーゲージ）（０．５１１ｍｍ）以下の直径のワイヤーを有し、内側半径が最大２ｍｍで１８０°以下の、ケーブル位置１か所でのケーブル横断曲げにより、ケーブル位置近くでの選択された前記絶縁導体のケーブルインピーダンスが、曲げていない形状のときにケーブル位置で測定した初期ケーブルインピーダンスからの変化を２パーセント以下に抑える、遮蔽電気ケーブル、を含む。
【０１４０】
項目２は、選択された絶縁導体の前記ワイヤー直径が、２６ＡＷＧ（０．４０５ｍｍ）以下であり、内側半径が最大１ｍｍで１８０°以下の、ケーブル位置１か所でのケーブル横断曲げにより、ケーブル位置近くでの選択された絶縁導体のケーブルインピーダンスにもたらされる、初期ケーブルインピーダンスからの変化が、１パーセント以下である、項目１に記載のケーブルである。
【０１４１】
項目３は、選択された絶縁導体が、導体セットのうち選択された１つの一部であり、導体セットには、直径が２４ＡＷＧ（０．５１１ｍｍ）以下で公称差動インピーダンスが１００オームであるワイヤーをそれぞれ有する少なくとも２本の絶縁導体が含まれ、ケーブルの横断曲げにより、ケーブル位置近くでの選択された導体セットの差動ケーブルインピーダンスが、曲げていない形状のときにケーブル位置で測定した初期差動ケーブルインピーダンスからの変化を２オーム以下に抑える、項目１に記載のケーブルである。
【０１４２】
項目４は、少なくとも２本の絶縁導体のワイヤー直径が、２６ＡＷＧ（０．４０５ｍｍ）以下であり、内側半径が最大１ｍｍで１８０°以下の、ケーブル位置のケーブル横断曲げにより、そのケーブル位置近くでの選択された導体セットの差動ケーブルインピーダンスにもたらされる、初期差動ケーブルインピーダンスからの変化が、１オーム以下である、項目３に記載のケーブルである。
【０１４３】
項目５は、選択された絶縁導体が、公称ケーブルインピーダンス５０オームを有し、そのケーブル位置近くでの選択された絶縁導体のケーブルインピーダンスは、初期ケーブルインピーダンスからの変化が、１オーム以下である、項目１又は２に記載のケーブルである。
【０１４４】
項目６は、ケーブルは更に、ケーブルの幅を横切って延在する折り目の周りで内側半径が最大で５ｍｍの、少なくとも４５°のケーブルの曲げを更に含む、項目１〜５のいずれか一項に記載のケーブルである。
【０１４５】
項目７は、曲げは少なくとも９０°であり、かつ、ケーブルを封入する構造形状に適合する、項目６に記載のケーブルである。
【０１４６】
項目８は、曲げは少なくとも１８０°であり、かつ折り目はケーブルの長手方向縁部に対して、ある折り角度であり、これによって、平面に対する曲げの前後の近接領域を平らにすることに対応して、ケーブルがある転回角度で転回する、項目６又は７に記載のケーブルである。
【０１４７】
項目９は、折り角度は４５°であり、転回角度は９０°である、項目８に記載のケーブルである。
【０１４８】
項目１０は、遮蔽電気ケーブルであって、遮蔽電気ケーブルが、ケーブルの長さに沿って延在し、ケーブルの幅に沿って互いに間隔を置いて配置されている複数の導体セットであって、各導体セットに１つ以上の絶縁導体が含まれている、複数の導体セットと、ケーブルの対向する側に配置されている第１及び第２遮蔽フィルムであって、第１及び第２フィルムには、カバー部分及び挟まれた部分が含まれ、これらは横断面において、第１及び第２フィルムのカバー部分が一緒に各導体セットを実質的に包囲し、かつ、第１及び第２フィルムの挟まれた部分が一緒に各導体セットのそれぞれの側でケーブルの挟まれた部分を形成するように配置されている、第１及び第２遮蔽フィルムと、ケーブルの挟まれた部分で、第１遮蔽フィルムを第２遮蔽フィルムに接着する第１接着層と、を含み、複数の導体セットは、隣り合う第１及び第２の絶縁導体を含み、かつ第１及び第２遮蔽フィルムの対応する第１カバー部分と、第１及び第２遮蔽フィルムの対応する第１挟まれた部分とを有し、これらが第１導体セットの一方の側に第１挟まれたケーブル部分を形成する、第１の導体セットを含み、絶縁導体のうち選択された１本が、２４ＡＷＧ（アメリカンワイヤーゲージ）（０．５１１ｍｍ）以下の直径のワイヤーを有し、内側半径が最大５ｍｍで１８０°以下の、ケーブル位置１か所でのケーブル横断曲げにより、ケーブル位置近くでの選択された絶縁導体のケーブルインピーダンスが、曲げていない形状のときにケーブル位置で測定した初期ケーブルインピーダンスからの変化を２パーセント以下に抑える、遮蔽電気ケーブルである。
【０１４９】
項目１１は、ケーブルが更に、ケーブルの幅を横切って延在する折り目の周りで内側半径が最大で５ｍｍの、少なくとも４５°のケーブルの曲げを更に含む、項目１０に記載のケーブルである。
【０１５０】
項目１２は、曲げは少なくとも９０°であり、かつ、ケーブルを封入する構造形状に適合する、項目１１に記載のケーブルである。
【０１５１】
項目１３は、曲げは少なくとも１８０°であり、かつ折り目はケーブルの長手方向縁部に対して、ある折り角度であり、これによって、平面に対する曲げの前後の近接領域を平らにすることに対応して、ケーブルがある転回角度で転回する、項目１１に記載のケーブルである。
【０１５２】
項目１４は、折り角度は４５°であり、転回角度は９０°である、項目１３に記載のケーブルである。
【０１５３】
項目１５は、遮蔽電気ケーブルであって、遮蔽電気ケーブルが、ケーブルの長さに沿って延在し、ケーブルの幅に沿って互いに間隔を置いて配置されている複数の導体セットであって、各導体セットに１つ以上の絶縁導体が含まれている、複数の導体セットと、ケーブルの対向する側に配置されている第１及び第２遮蔽フィルムであって、第１及び第２フィルムには、カバー部分及び挟まれた部分が含まれ、これらは横断面において、第１及び第２フィルムのカバー部分が一緒に各導体セットを実質的に包囲し、かつ、第１及び第２フィルムの挟まれた部分が一緒に各導体セットのそれぞれの側でケーブルの挟まれた部分を形成するように配置されている、第１及び第２遮蔽フィルムと、ケーブルの挟まれた部分で、第１遮蔽フィルムを第２遮蔽フィルムに接着する第１接着層と、を含み、複数の導体セットは、隣り合う第１及び第２の絶縁導体を含み、かつ第１及び第２遮蔽フィルムの対応する第１カバー部分と、第１及び第２遮蔽フィルムの対応する第１挟まれた部分とを有し、これらが第１導体セットの一方の側に第１挟まれたケーブル部分を形成する、第１の導体セットを含み、３．０インチ（７．６２ｃｍ）離れた２つの支持点に単純に支えられているこのケーブルに対し、その支持点の中間点に力を適用することによって、少なくとも１インチ（２．５４ｃｍ）の、力方向へのたわみが生じ、この重量ポンドで測定される力は、絶縁導体それぞれの個々の力の合計を超えることはなく、個々の力は、ワイヤー直径をインチで表わした場合に、それぞれの絶縁導体のワイヤ直径の３乗に１１０００を掛けた値に等しい。
【０１５４】
項目１６は、ワイヤー直径は、２４ＡＷＧ（アメリカンワイヤーゲージ）（０．５１１ｍｍ）以下である、項目１５に記載のケーブルである。
【０１５５】
項目１７は、たわみが１インチ〜１．５インチ（２．５４ｃｍ〜３．８１ｃｍ）の間の時に、最大力が起こる、項目１５又は１６に記載のケーブルである。
【０１５６】
項目１８は、ケーブルは、ケーブルの幅を横切って延在する折り目の周りで内側半径が最大で５ｍｍの、少なくとも４５°のケーブルの曲げを更に含む、項目１５〜１７のいずれか一項に記載のケーブルである。
【０１５７】
項目１９は、曲げは少なくとも９０°であり、かつ、ケーブルを封入する構造形状に適合する、項目１８に記載のケーブルである。
【０１５８】
項目２０は、曲げは少なくとも１８０°であり、かつ折り目はケーブルの長手方向縁部に対して、ある折り角度であり、これによって、平面に対する曲げの前後の近接領域を平らにすることに対応して、ケーブルがある転回角度で転回する、項目１８に記載のケーブルである。
【０１５９】
項目２１は、折り角度は４５°であり、転回角度は９０°である、項目２０に記載のケーブルである。
【０１６０】
項目２２は、ケーブルアセンブリであって、ケーブルの長さに沿って延在し、ケーブルの幅に沿って互いに間隔を置いて配置されている複数の導体セットであって、各導体セットに１つ以上の絶縁導体が含まれている、複数の導体セットと、ケーブルの対向する側に配置されている第１及び第２遮蔽フィルムであって、この第１及び第２フィルムには、カバー部分及び挟まれた部分が含まれ、これらは横断面において、第１及び第２フィルムのカバー部分が組み合わせて各導体セットを実質的に包囲し、かつ、第１及び第２フィルムの挟まれた部分が組み合わせて各導体セットのそれぞれの側でケーブルの挟まれた部分を形成するように配置されている、第１及び第２遮蔽フィルムと、ケーブルの挟まれた部分で、第１遮蔽フィルムを第２遮蔽フィルムに接着する第１接着層と、ケーブルの幅を横切って延在する折り目の周りで内側半径が最大で５ｍｍの、少なくとも４５°のケーブルの曲げを更に含む、遮蔽電気ケーブルであって、複数の導体セットは、隣り合う第１及び第２の絶縁導体を含み、かつ第１及び第２遮蔽フィルムの対応する第１カバー部分と、第１及び第２遮蔽フィルムの対応する第１挟まれた部分とを有し、これらが第１導体セットの一方の側に第１挟まれたケーブル部分を形成する、第１の導体セットを含み、ケーブル内の少なくとも曲げを包含する電気コネクターであって、絶縁導体のうち少なくとも１本が、電気コネクターの少なくとも１つの接触に電気的に連結される、電気コネクターと、を含むケーブルアセンブリである。
【０１６１】
項目２３は、電気コネクターは、ケーブル上に形成された成形物を包含する、項目２２に記載のケーブルアセンブリである。
【０１６２】
項目２４は、電気コネクターは、マルチピースのハウジングを含む、項目２２〜２３のいずれか一項に記載のケーブルアセンブリである。
【０１６３】
項目２５は、コネクターは、パドルカードコネクターを含む、項目２２〜２４のいずれか一項に記載のケーブルアセンブリである。
【０１６４】
項目２６は、曲げは、折り目に沿って少なくとも９０°である、項目２２〜２４のいずれか一項に記載のケーブルアセンブリである。
【０１６５】
項目２７は、曲げの内側半径は最大１ｍｍである、項目２６に記載のケーブルアセンブリである。
【０１６６】
項目２８は、曲げの内側半径は最大１ｍｍである、項目２２〜２５のいずれか一項に記載のケーブルアセンブリである。
【０１６７】
項目２９は、コネクターは、ケーブルの端部に配置される、項目２２〜２８のいずれか一項に記載のケーブルアセンブリである。
【０１６８】
項目３０は、コネクターは、ケーブルの中間部分に配置される、項目２２〜２８のいずれか一項に記載のケーブルアセンブリである。
【０１６９】
項目３１は、絶縁導体は、２４ＡＷＧ（アメリカンワイヤーゲージ）（０．５１１ｍｍ）以下のワイヤー直径を有する、項目２２〜３０のいずれか一項に記載のケーブルアセンブリである。
【０１７０】
項目３２は、ケーブルは更に、電気コネクターによって包含されない第２の曲げを含み、この第２の曲げは、ケーブルの幅を横切って延在する第２の折り目に沿い、少なくとも４５°であり、最大５ｍｍの内側半径を有する、項目２２〜３１のいずれか一項に記載のケーブルアセンブリである。
【０１７１】
項目３３は、第２の曲げは少なくとも９０°であり、かつ、ケーブルアセンブリを封入する構造形状に適合する、項目３２に記載のケーブルアセンブリである。
【０１７２】
項目３４は、第２の曲げは少なくとも１８０°であり、かつ第２の折り目はケーブルの長手方向縁部に対して、ある折り角度であり、これによって、平面に対する第２の曲げの前後の近接領域を平らにすることに対応して、ケーブルがある転回角度で転回する、項目３２に記載のケーブルアセンブリである。
【０１７３】
項目３５は、第２の折り角度は４５°であり、転回角度は９０°である、項目３４に記載のケーブルアセンブリである。
【０１７４】
項目３６は、少なくとも１つの導体セットが、少なくとも１Ｇｂ／ｓの最大データ伝送速度のために適合される、項目２２〜３５のいずれか一項に記載のケーブルアセンブリである。
【０１７５】
以上、好適な実施形態の説明を目的として特定の実施形態を本明細書に図示、説明したが、同様の目的を達成することが予想される広範な代替的かつ／又は同等の実施の態様を、本発明の範囲を逸脱することなく、図示及び説明された特定の実施形態に置き換えることができる点は当業者には認識されるであろう。機械的、電気機械的、及び電気的分野における当業者であれば、本発明が広範な実施形態で実施し得る点は直ちに認識されるであろう。本出願は、本明細書で考察した好適な実施形態のあらゆる適合形態又は変形例を含むものである。したがって、本発明が特許請求の範囲及びその均等物によってのみ限定される点を明示するものである。
【符号の説明】
【０１７６】
２・・・遮蔽電気ケーブル、４・・・導体セット、７・・・カバー部分、８・・・遮蔽フィルム、９・・・挟まれた部分、Ｌ・・・遮蔽電気ケーブルの長さ、ｗ・・・遮蔽電気ケーブルの幅。
【図１】
2018200882.tif 000005
【図２ａ】
2018200882.tif 000006
【図２ｂ】
2018200882.tif 000007
【図２ｃ】
2018200882.tif 000008
【図２ｄ】
2018200882.tif 000009
【図２ｅ】
2018200882.tif 000010
【図２ｆ】
2018200882.tif 000011
【図２ｇ】
2018200882.tif 000012
【図３ａ】
2018200882.tif 000013
【図３ｂ】
2018200882.tif 000014
【図３ｃ】
2018200882.tif 000015
【図３ｄ】
2018200882.tif 000016
【図４ａ】
2018200882.tif 000017
【図４ｂ】
2018200882.tif 000018
【図４ｃ】
2018200882.tif 000019
【図５ａ】
2018200882.tif 000020
【図５ｂ】
2018200882.tif 000021
【図５ｃ】
2018200882.tif 000022
【図６ａ】
2018200882.tif 000023
【図６ｂ】
2018200882.tif 000024
【図６ｃ】
2018200882.tif 000025
【図７ａ】
2018200882.tif 000026
【図７ｂ】
2018200882.tif 000027
【図８ａ】
2018200882.tif 000028
【図８ｂ】
2018200882.tif 000029
【図９】
2018200882.tif 000030
【図１０】
2018200882.tif 000031
【図１１ａ】
2018200882.tif 000032
【図１１ｂ】
2018200882.tif 000033
【図１２】
2018200882.tif 000034
【図１３】
2018200882.tif 000035
【図１４】
2018200882.tif 000036
【図１５】
2018200882.tif 000037
【図１６】
2018200882.tif 000038
【図１７】
2018200882.tif 000039
【図１８】
2018200882.tif 000040
【図１９】
2018200882.tif 000041
【図２０】
2018200882.tif 000042
【図２１】
2018200882.tif 000043
【図２２】
2018200882.tif 000044
【図２３】
2018200882.tif 000045
【図２４】
2018200882.tif 000046
【図２５】
2018200882.tif 000047
【図２６】
2018200882.tif 000048
【図２７】
2018200882.tif 000049
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
ケーブルアセンブリであって、
前記ケーブルの長さに沿って延在し、前記ケーブルの幅に沿って互いに間隔を置いて配置されている複数の導体セットであって、各前記導体セットに１つ以上の絶縁導体が含まれている、複数の導体セットと、
前記ケーブルの前記長さに沿って延在し、かつ、前記ケーブルの幅に沿って前記複数の導体セットから離間される接地導体と、
前記ケーブルの厚さ方向に互いに対向する当該ケーブルの側に配置されている第１及び第２遮蔽フィルムであって、前記第１及び第２フィルムには、カバー部分及び挟まれた部分が含まれ、これらは横断面において、前記第１及び第２フィルムのカバー部分が組み合わせて各前記導体セット及び前記接地導体を実質的に包囲し、かつ、前記第１及び第２フィルムの挟まれた部分が一緒に、前記ケーブルの幅方向における各前記導体セットのそれぞれの側で前記ケーブルの前記挟まれた部分を形成するように配置されている、第１及び第２遮蔽フィルムと、
前記ケーブルの前記挟まれた部分で、前記第１遮蔽フィルムを前記第２遮蔽フィルムに結合する第１接着層と、
前記ケーブルの幅を横切って延在する折り目の周りで内側半径が最大で５ｍｍの、少なくとも４５°のケーブルの曲げと、を含む遮蔽電気ケーブルであって、
前記複数の導体セットが、隣接する第１及び第２絶縁導体を含む第１導体セットを含み、前記第１及び第２遮蔽フィルムのそれぞれは、第１カバー部分と、第１及び第２挟まれた部分とを有し、これにより横断面において、前記第１及び第２遮蔽フィルムの前記第１カバー部分が一緒に前記第１導体セットを実質的に包囲し、前記第１及び第２遮蔽フィルムの前記第１及び第２挟まれた部分が一緒に、前記第１導体セットのそれぞれの側に前記ケーブルの第１及び第２挟まれた部分を形成する、遮蔽電気ケーブルと、
前記ケーブル内の少なくとも前記曲げを包含する電気コネクターであって、前記絶縁導体のうち少なくとも１本が、前記電気コネクターの少なくとも１つの接触に電気的に連結される、電気コネクターと、を含み、
内側半径が最大２ｍｍで１８０°の、ケーブル位置１か所での前記ケーブルの横断曲げにより、前記ケーブル位置近くでの差動ペアの前記絶縁導体のケーブルインピーダンスにもたらされる、曲げていない形状のときに前記ケーブル位置で測定した初期ケーブルインピーダンスからの変化は、２パーセント以下である、ケーブルアセンブリ。
【請求項２】
前記電気コネクターが、前記ケーブル上に形成された成形物を包含する、請求項１に記載のケーブルアセンブリ。
【請求項３】
前記ケーブルが、前記電気コネクターによって包含されない第２の曲げを更に含み、前記第２の曲げが、前記ケーブルの幅を横切って延在する第２の折り目の周りで少なくとも４５°の、最大５ｍｍの内側半径を有する、請求項１又は２に記載のケーブルアセンブリ。
【請求項４】
少なくとも１つの前記導体セットが、少なくとも１Ｇｂ／ｓの最大データ伝送速度のために適合される、請求項１〜３のいずれか一項に記載のケーブルアセンブリ。
【外国語明細書】
2018200882000001.pdf